(57)【要約】      （修正有）【課題】コンパクトで明るく高変倍比化を行いやすいズームレンズを提供する。【解決手段】ズームレンズは、正の第１群Ｇ１と、負の第２群Ｇ２と、正の第３群Ｇ３と、正の第４群Ｇ４を有し、ズーム時に、広角端に対し望遠端で間隔が、第１群Ｇ１と第２群Ｇ２の間が拡大し、第２群Ｇ２と第３群Ｇ３の間が縮小し、第３群Ｇ３と第４群Ｇ４の間が拡大するように、少なくとも第１群Ｇ１、第２群Ｇ２、第３群Ｇ３が光軸上を移動し、第１群Ｇ１は多くても２枚のレンズで構成され、第２群Ｇ２は、負レンズＬ２１、負レンズＬ２２、正レンズＬ２３から構成され、広角端での全系の焦点距離に対する全長（レンズ系第１面から像面までの長さ）の比を規定した条件式を満足する。【選択図】図１
2010282215.tif 000002
【特許請求の範囲】
【請求項１】
物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするズームレンズ。
６．４＜ＬW ／ｆW ＜７．４                                    ・・・（１）
ただし、ＬW ：広角端での全長、
ｆW ：広角端での全系の焦点距離、
である。
【請求項２】
物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするズームレンズ。
５．８＜ｆ1 ／ｆW ＜８．０                                    ・・・（２）
ただし、ｆW ：広角端での全系の焦点距離、
ｆ1 ：第１レンズ群の焦点距離、
である。
【請求項３】
物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするズームレンズ。
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【請求項４】
物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレ
ンズで構成され、第２レンズ群Ｇ２は、物体側から順に、負レンズＬ２１、負レンズＬ２２、正レンズＬ２３から構成され、以下の条件式を満足することを特徴とするズームレンズ。
３＜（β2T／β2W）＊（β3T／β3W）＊（β4T／β4W）＜１２      ・・・（４）
１．８＜Ｄ2W／ｆW ＜２．８                                    ・・・（５）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
ｆW ：広角端での全系の焦点距離、
Ｄ2W：広角端での第２レンズ群−第３レンズ群間隔、
である。
【請求項５】
物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負メニスカスレンズＬ２１、負メニスカスレンズ又は平凹負レンズＬ２２、正メニスカスレンズＬ２３から構成され、以下の条件式を満足することを特徴とするズームレンズ。
３＜（β2T／β2W）＊（β3T／β3W）＊（β4T／β4W）＜１２      ・・・（４）
１．１＜｜ｆ2 ／ｆW ｜＜１．８                                ・・・（６）
ただし、ｆW ：広角端での全系の焦点距離、
ｆ2 ：第２レンズ群の焦点距離、
β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【請求項６】
物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、第２レンズ群Ｇ２の２枚の負レンズの硝材の屈折率が何れも１．８１以上で、かつ、第２レンズ群Ｇ２の正レンズの硝材の屈折率が１．９以上であることを特徴とするズームレンズ。
【請求項７】
物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２
２、正レンズＬ２３から構成され、以下の条件式を満足することを特徴とするズームレンズ。
３＜（β2T／β2W）＊（β3T／β3W）＊（β4T／β4W）＜１２      ・・・（４）
０．８＜（β2T／β2W）／（β3T／β3W）＜１．１                ・・・（７）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【請求項８】
物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするズームレンズ。
０．９＜ΔT3G ／ｆW ＜３                                      ・・・（８）
ただし、ΔT3G ：広角端から望遠端の間での第３レンズ群の移動量、
である。
【請求項９】
物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするズームレンズ。
１．２＜ｆ3 ／ｆW ＜１．８５                                  ・・・（９）
ただし、ｆW ：広角端での全系の焦点距離、
ｆ3 ：第３レンズ群の焦点距離、
である。
【請求項１０】
請求項１から９の何れか１項記載のズームレンズと、その像側に配置された撮像素子とを備えていることを特徴とする撮像装置。
【発明の詳細な説明】
【技術分野】
【０００１】
本発明は、ズームレンズ及びそれを搭載した撮像装置に関し、特に、ＣＣＤ等の電子撮像素子に適した４倍以上の変倍比を持つズームレンズとそれを搭載した撮像装置に関するものである。
【背景技術】
【０００２】
近年、デジタルカメラが普及している。さらに、それは業務用高機能タイプからポータブルな普及タイプまで幅広い範囲でいくつものカテゴリーを有するようになってきている。本発明においては、特にポータブルな普及タイプのカテゴリーに注目し、変倍比が比較的高く、高画質を確保しながら奥行きの薄い、ビデオカメラ、デジタルカメラを実現する技術を提供することを狙っている。
【０００３】
カメラの奥行き方向を薄くするのに最大のネックとなっているのは、光学系、特にズームレンズ系の最も物体側の面から撮像面までの厚みである。最近では、撮影時に光学系をカメラボディ内からせり出し、携帯時に光学系をカメラボディ内に収納するいわゆる沈胴式鏡筒を採用することが主流になっている。
【０００４】
薄型化小型化を実施するには、撮像素子を小さくすればよいが、同じ画素数とするためには画素ピッチを小さくする必要があり、感度不足を光学系でカバーしなければならない。回折の影響も然りである。したがって、Ｆ値の明るい光学系が必要となる。このような光学系として、物体側から順に、正の屈折力を持った第１群、負の屈折力を持った第２群、正の屈折力を持った第３群、正の屈折力を持った第４群の４つのレンズ群から構成され、ズーム時に各レンズ群の間隔を変化させる光学系が知られている。このような光学系の従来技術として、特許文献１、特許文献２、特許文献３、特許文献４、特許文献５に、変倍比が４倍から５倍程度の電子撮像装置に適し、比較的構成レンズ枚数が少ないズームレンズが開示されているが、全長が長い等コンパクト性が十分でない等の課題がある。また、変倍比が３倍程度の従来例として、特許文献６、特許文献７、特許文献８、特許文献９にそのようなレンズ系の開示がある。また、特許文献１０には、変倍比は３倍程度の銀塩フィルムに適した光学系が開示されているが、Ｆ値が広角端で３．５程度と暗いという課題がある。
【先行技術文献】
【特許文献】
【０００５】
【特許文献１】特開２００３−３１５６７６号公報
【特許文献２】特開２００３−４３３５７号公報
【特許文献３】特開２００１−４２２１５号公報
【特許文献４】特開２００４−１２６３９号公報
【特許文献５】特開２００４−１２６３８号公報
【特許文献６】特開２００１−３５６２６９号公報
【特許文献７】特開２００１−２４２３７９号公報
【特許文献８】特開２００１−１９４５８６号公報
【特許文献９】特開２０００−１８８１７０号公報
【特許文献１０】特開昭５７−５０１２号公報
【発明の概要】
【発明が解決しようとする課題】
【０００６】
本発明は、従来技術のこのような問題点に鑑みてなされたものであり、その目的は、コ
ンパクトで明るく高変倍比化を行いやすいズームレンズとそれを搭載した撮像装置を提供することである。より具体的には、構成枚数を少なくしやすく、Ｆ値が広角端で２. ８程度と明るく、ズーム比が４〜５倍程度と大きく、結像性能が高いコンパクトなズームレンズとそれを搭載した撮像装置を提供することを目的とする。
【課題を解決するための手段】
【０００７】
上記目的を達成するための本発明の第１のズームレンズは、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするものである。
【０００８】
６．４＜ＬW ／ｆW ＜７．４                                    ・・・（１）
ただし、ＬW ：広角端での全長、
ｆW ：広角端での全系の焦点距離、
である。
【０００９】
以下、第１のズームレンズにおいて上記構成をとる理由と作用を説明する。
【００１０】
物体側より順にレンズ群の屈折力が正負正正の順に並ぶ構成とすることにより、変倍比が４倍を越えても性能を維持することができる。
【００１１】
ズーム時に、広角端に対し望遠端で間隔を、第１レンズ群Ｇ１と第２レンズ群Ｇ２の間を拡大させ、第２レンズ群Ｇ２と第３レンズ群Ｇ３の間を縮小させ、第３レンズ群Ｇ３と第４レンズ群Ｇ４の間を拡大させることにより、第２レンズ群Ｇ２と第３レンズ群Ｇ３に変倍の負担を分担させて効率的な変倍をさせることができる。さらに、第２レンズ群Ｇ２と第３レンズ群Ｇ３に加え、第１レンズ群Ｇ１を移動させることにより、コンパクトな光学系で変倍比を大きくさせやすくなる。
【００１２】
ここで、第１レンズ群Ｇ１は、広角端に対し望遠端で物体側に位置させるようにするのが望ましい。それにより、広角端での全長が小さくでき、また、望遠端の焦点距離を長くするのに有利となる。
【００１３】
若しくは、第２レンズ群Ｇ２は、広角端と望遠端の間で最も像側に近づけるようにするのが望ましい。つまり、第２レンズ群Ｇ２は、広角端から望遠端にて像側の凸状の軌跡で移動することが好ましい。それにより、広角側での変倍負担を担い、一方、望遠側では第３レンズ群Ｇ３の移動範囲を確保し、高変倍比化に有利となる。
【００１４】
若しくは、第３レンズ群Ｇ３は、広角端から望遠端にほぼ単調に物体側に移動させるようにするのが望ましい。つまり、第３レンズ群Ｇ３は、広角端から望遠端までのズーミングの間物体側にのみ移動することが好ましい。
【００１５】
上述の第１レンズ群Ｇ１、第２レンズ群Ｇ２、第３レンズ群Ｇ３が共に上述の移動を行うことにより、広角域では第３レンズ群Ｇ３に、望遠域では第２レンズ群Ｇ２に変倍負担が大きくなり、高変倍でも結像性能の確保がしやすくなる。
【００１６】
また、第１レンズ群Ｇ１は、多くても２枚のレンズで構成することにより、第１レンズ群Ｇ１のレンズ径をコンパクトにすることができる。これは結果として、第１レンズ群Ｇ１の厚さを小さくすることができる。
【００１７】
さらに、第１レンズ群Ｇ１は、１枚の正レンズから構成するのが望ましい。これは、全長短縮、第１レンズ群Ｇ１のコスト低減上、好ましい。
【００１８】
あるいは、物体側より順に、１枚の負レンズと１枚の正レンズから構成するのが望ましい。こうすることにより、第１レンズ群Ｇ１での色収差等の補正に効果がある。
【００１９】
さらには、１枚の負レンズと１枚の正レンズからなる接合レンズから構成するのが望ましい。こうすることにより、２つのレンズ面間での反射光が抑えら、ゴースト低減しやすくなる。
【００２０】
第２レンズ群Ｇ２は、物体側より順に、負レンズＬ２１、負レンズＬ２２、正レンズＬ２３から構成することにより、変倍比を稼ぎ、かつ、パワーを持ちつつ、第２レンズ群Ｇ２の厚さを薄くして変倍のためのスペースを確保することができる。
【００２１】
条件式（１）は、広角端での全系の焦点距離に対する全長（レンズ系第１面から像面までの長さ）の比を規定したもので、その上限の７．４を越えると、広角端での全長が長くなり、レンズユニットの大型化を招く。また、第１レンズ群Ｇ１での光線高が高くなるので、レンズ径の増大を招く。下限の６．４を越えると、結果的に第２レンズ群Ｇ２〜第３レンズ群Ｇ３の間隔が狭くなるため、変倍に必要なスペースを確保できなくなる。
【００２２】
また、条件式（１）の下限値を６．５５、さらには６．５としてもよい。
【００２３】
また、条件式（１）の上限値を７．２、さらには７．０としてもよい。
【００２４】
本発明の第２のズームレンズは、第１のズームレンズにおいて、第３レンズ群Ｇ３は、正レンズ２枚と負レンズ１枚から構成されていることを特徴とするものである。
【００２５】
第２のズームレンズにおいて上記構成をとる理由と作用を説明すると、このような構成により、第３レンズ群Ｇ３に収斂作用を持たせ、収差を良好に抑えつつ、第３レンズ群Ｇ３の厚さを薄くすることができる。
【００２６】
本発明の第３のズームレンズは、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするものである。
【００２７】
５．８＜ｆ1 ／ｆW ＜８．０                                    ・・・（２）
ただし、ｆW ：広角端での全系の焦点距離、
ｆ1 ：第１レンズ群の焦点距離、
である。
【００２８】
以下、第３のズームレンズにおいて上記構成をとる理由と作用を説明する。
【００２９】
第１のズームレンズの構成をとる理由と作用に関する説明中の条件式（１）に関する説明以外は同様である。
【００３０】
さらに、条件式（２）は、第１レンズ群Ｇ１の屈折力を適切に定めた条件である。条件式（２）の上限の８．０を越えてｆ1 が大きくなると、小型化を維持しつつ、後ろの群で変倍を行うのが難しくなる。下限の５．８を越えると、第１レンズ群Ｇ１で発生する収差量が増えて、良好な結像性能を得るのが難しくなる。
【００３１】
また、条件式（２）の下限値を５．９５、さらには６．０５としてもよい。
【００３２】
また、条件式（２）の上限値を７．５、さらには７．０としてもよい。
【００３３】
本発明の第４のズームレンズは、第３のズームレンズにおいて、以下の条件式を満足することを特徴とするものである。
【００３４】
６．４＜ＬW ／ｆW ＜７．４                                    ・・・（１）
ただし、ＬW ：広角端での全長、
ｆW ：広角端での全系の焦点距離、
である。
【００３５】
第４のズームレンズにおいて上記構成をとる理由と作用を説明すると、条件式（１）は、広角端での全系の焦点距離に対する全長（レンズ系第１面から像面までの長さ）の比を規定したもので、その上限の７．４を越えると、広角端での全長が長くなり、レンズユニットの大型化を招く。また、第１レンズ群Ｇ１での光線高が高くなるので、レンズ径の増大を招く。下限の６．４を越えると、結果的に第２レンズ群Ｇ２〜第３レンズ群Ｇ３の間隔が狭くなるため、変倍に必要なスペースを確保できなくなる。
【００３６】
また、条件式（１）の下限値を６．５５、さらには６．５としてもよい。
【００３７】
また、条件式（１）の上限値を７．２、さらには７．０としてもよい。
【００３８】
本発明の第５のズームレンズは、第３、第４のズームレンズにおいて、第３レンズ群Ｇ３は、正レンズ２枚と負レンズ１枚から構成されていることを特徴とするものである。
【００３９】
第５のズームレンズにおいて上記構成をとる理由と作用は、第２のズームレンズに関して説明した理由と作用と同様である。
【００４０】
本発明の第６のズームレンズは、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするものである。
【００４１】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【００４２】
以下、第６のズームレンズにおいて上記構成をとる理由と作用を説明する。
【００４３】
第１のズームレンズの構成をとる理由と作用に関する説明中の条件式（１）に関する説明以外は同様である。
【００４４】
さらに、条件式（３）は、広角端における第２レンズ群Ｇ２、第３レンズ群Ｇ３、第４レンズ群Ｇ４の適切な群間隔比を定めたものである。条件式（３）の上限の２．６より大きくなると、広角時の第１レンズ群Ｇ１、第２レンズ群Ｇ２が物体側に寄って、軸外光線の高さが大きくなり、レンズ径の大型化を招きやすくなる。若しくは、明るさ絞りを、第３レンズ群Ｇ３と共に移動させる場合、第２レンズ群Ｇ２−第３レンズ群Ｇ３間が狭まることによって像面への射出角度が大きくなりやすく、シェーディング特性の悪化を招く。条件式（３）の下限値２より小さくなると、第２レンズ群Ｇ２−第３レンズ群Ｇ３間の間隔が小さくなり、変倍に必要なスペースが確保し難くなる。
【００４５】
また、条件式（３）の下限値を２．０５、さらには２．０７としてもよい。
【００４６】
また、条件式（３）の上限値を２．５５、さらには２．５２としてもよい。
【００４７】
本発明の第７のズームレンズは、第６のズームレンズにおいて、以下の条件式を満足することを特徴とするものである。
【００４８】
６．４＜ＬW ／ｆW ＜７．４                                    ・・・（１）
ただし、ＬW ：広角端での全長、
ｆW ：広角端での全系の焦点距離、
である。
【００４９】
第７のズームレンズにおいて上記構成をとる理由と作用を説明すると、条件式（１）は、広角端での全系の焦点距離に対する全長（レンズ系第１面から像面までの長さ）の比を規定したもので、その上限の７．４を越えると、広角端での全長が長くなり、レンズユニットの大型化を招く。また、第１レンズ群Ｇ１での光線高が高くなるので、レンズ径の増大を招く。下限の６．４を越えると、結果的に第２レンズ群Ｇ２〜第３レンズ群Ｇ３の間隔が狭くなるため、変倍に必要なスペースを確保できなくなる。
【００５０】
また、条件式（１）の下限値を６．５５、さらには６．５としてもよい。
【００５１】
また、条件式（１）の上限値を７．２、さらには７．０としてもよい。
【００５２】
本発明の第８のズームレンズは、第６、第７のズームレンズにおいて、第３レンズ群Ｇ３は、正レンズ２枚と負レンズ１枚から構成されていることを特徴とするものである。
【００５３】
第８のズームレンズにおいて上記構成をとる理由と作用は、第２のズームレンズに関して説明した理由と作用と同様である。
【００５４】
本発明の第９のズームレンズは、第６〜第８のズームレンズにおいて、以下の条件式を満足することを特徴とするものである。
【００５５】
５．８＜ｆ1 ／ｆW ＜８．０                                    ・・・（２）
ただし、ｆW ：広角端での全系の焦点距離、
ｆ1 ：第１レンズ群の焦点距離、
である。
【００５６】
第９のズームレンズにおいて上記構成をとる理由と作用を説明すると、条件式（２）は、第１レンズ群Ｇ１の屈折力を適切に定めた条件である。条件式（２）の上限の８．０を越えてｆ1 が大きくなると、小型化を維持しつつ、後ろの群で変倍を行うのが難しくなる。下限の５．８を越えると、第１レンズ群Ｇ１で発生する収差量が増えて、良好な結像性能を得るのが難しくなる。
【００５７】
また、条件式（２）の下限値を５．９５、さらには６．０５としてもよい。
【００５８】
また、条件式（２）の上限値を７．５、さらには７．０としてもよい。
【００５９】
本発明の第１０のズームレンズは、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするものである。
【００６０】
３＜（β2T／β2W）＊（β3T／β3W）＊（β4T／β4W）＜１２      ・・・（４）
１．８＜Ｄ2W／ｆW ＜２．８                                    ・・・（５）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
ｆW ：広角端での全系の焦点距離、
Ｄ2W：広角端での第２レンズ群−第３レンズ群間隔、
である。
【００６１】
以下、第８のズームレンズにおいて上記構成をとる理由と作用を説明する。
【００６２】
第１のズームレンズの構成をとる理由と作用に関する説明中の条件式（１）に関する説明以外は同様である。
【００６３】
さらに、条件式（４）は基本的な変倍比に関するものである。条件式（４）を満足し、条件式（５）の上限の２．８を越えると、広角時の第１レンズ群Ｇ１、第２レンズ群Ｇ２が物体側に寄って、軸外光線の高さが大きくなりレンズ径の大型化を招くか、第２レンズ群Ｇ２−第３レンズ群Ｇ３間が狭まることによって像面への射出角度が大きくなり、シェーディング特性の悪化を招く。条件式（５）の下限の１．８を越えると、第２レンズ群Ｇ２−第３レンズ群Ｇ３間の間隔の変化量が確保できず、結像性能を確保した上で条件式（４）を満足するのが難しくなる。
【００６４】
条件式（４）、（５）何れか一方若しくは双方について、以下の数値範囲としてもよい。
【００６５】
３＜（β2T／β2W）＊（β3T／β3W）＊（β4T／β4W）＜７      ・・・（４）’
２．０＜Ｄ2W／ｆW ＜２．８                                  ・・・（５）’
また、条件式（４）の下限値を３．３、さらには３．５としてもよい。
【００６６】
また、条件式（４）の上限値を７．０、さらには６．３としてもよい。
【００６７】
また、条件式（５）の下限値を２．２、さらには２．３５としてもよい。
【００６８】
また、条件式（５）の上限値を２．７５、さらには２．７としてもよい。
【００６９】
本発明の第１１のズームレンズは、第１０のズームレンズにおいて、以下の条件式を満足することを特徴とするものである。
【００７０】
６．４＜ＬW ／ｆW ＜７．４                                    ・・・（１）
ただし、ＬW ：広角端での全長、
ｆW ：広角端での全系の焦点距離、
である。
【００７１】
第１１のズームレンズにおいて上記構成をとる理由と作用を説明すると、条件式（１）は、広角端での全系の焦点距離に対する全長（レンズ系第１面から像面までの長さ）の比を規定したもので、その上限の７．４を越えると、広角端での全長が長くなり、レンズユニットの大型化を招く。また、第１レンズ群Ｇ１での光線高が高くなるので、レンズ径の増大を招く。下限の６．４を越えると、結果的に第２レンズ群Ｇ２〜第３レンズ群Ｇ３の間隔が狭くなるため、変倍に必要なスペースを確保できなくなる。
【００７２】
また、条件式（１）の下限値を６．５５、さらには６．５としてもよい。
【００７３】
また、条件式（１）の上限値を７．２、さらには７．０としてもよい。
【００７４】
本発明の第１２のズームレンズは、第１０〜第１１のズームレンズにおいて、第３レンズ群Ｇ３は、正レンズ２枚と負レンズ１枚から構成されていることを特徴とするものである。
【００７５】
第１２のズームレンズにおいて上記構成をとる理由と作用は、第２のズームレンズに関して説明した理由と作用と同様である。
【００７６】
本発明の第１３のズームレンズは、第１０〜第１２のズームレンズにおいて、以下の条件式を満足することを特徴とするものである。
【００７７】
５．８＜ｆ1 ／ｆW ＜８．０                                    ・・・（２）
ただし、ｆW ：広角端での全系の焦点距離、
ｆ1 ：第１レンズ群の焦点距離、
である。
【００７８】
第１３のズームレンズにおいて上記構成をとる理由と作用を説明すると、条件式（２）は、第１レンズ群Ｇ１の屈折力を適切に定めた条件である。条件式（２）の上限の８．０を越えてｆ1 が大きくなると、小型化を維持しつつ、後ろの群で変倍を行うのが難しくなる。下限の５．８を越えると、第１レンズ群Ｇ１で発生する収差量が増えて、良好な結像性能を得るのが難しくなる。
【００７９】
また、条件式（２）の下限値を５．９５、さらには６．０５としてもよい。
【００８０】
また、条件式（２）の上限値を７．５、さらには７．０としてもよい。
【００８１】
本発明の第１４のズームレンズは、第１０〜第１３のズームレンズにおいて、以下の条件式を満足することを特徴とするものである。
【００８２】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【００８３】
第１４のズームレンズにおいて上記構成をとる理由と作用を説明すると、条件式（３）は、広角端における第２レンズ群Ｇ２、第３レンズ群Ｇ３、第４レンズ群Ｇ４の適切な群間隔比を定めたものである。条件式（３）の上限の２．６より大きくなると、広角時の第１レンズ群Ｇ１、第２レンズ群Ｇ２が物体側に寄って、軸外光線の高さが大きくなり、レンズ径の大型化を招きやすくなる。若しくは、明るさ絞りを、第３レンズ群Ｇ３と共に移動させる場合、第２レンズ群Ｇ２−第３レンズ群Ｇ３間が狭まることによって像面への射出角度が大きくなりやすく、シェーディング特性の悪化を招く。条件式（３）の下限値２より小さくなると、第２レンズ群Ｇ２−第３レンズ群Ｇ３間の間隔が小さくなり、変倍に必要なスペースが確保し難くなる。
【００８４】
また、条件式（３）の下限値を２．０５、さらには２．０７としてもよい。
【００８５】
また、条件式（３）の上限値を２．５５、さらには２．５２としてもよい。
【００８６】
本発明の第１５のズームレンズは、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負メニスカスレンズＬ２１、負メニスカスレンズ又は平凹負レンズＬ２２、正メニスカスレンズＬ２３から構成され、以下の条件式を満足することを特徴とするものである。
【００８７】
３＜（β2T／β2W）＊（β3T／β3W）＊（β4T／β4W）＜１２      ・・・（４）
１．１＜｜ｆ2 ／ｆW ｜＜１．８                                ・・・（６）
ただし、ｆW ：広角端での全系の焦点距離、
ｆ2 ：第２レンズ群の焦点距離、
β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【００８８】
以下、第１５のズームレンズにおいて上記構成をとる理由と作用を説明する。
【００８９】
物体側より順にレンズ群の屈折力が正負正正の順に並ぶ構成とすることにより、変倍比
が４倍を越えても性能を維持することができる。
【００９０】
ズーム時に、広角端に対し望遠端で間隔を、第１レンズ群Ｇ１と第２レンズ群Ｇ２の間を拡大させ、第２レンズ群Ｇ２と第３レンズ群Ｇ３の間を縮小させ、第３レンズ群Ｇ３と第４レンズ群Ｇ４の間を拡大させることにより、第２レンズ群Ｇ２と第３レンズ群Ｇ３に変倍の負担を分担させて効率的な変倍をさせることができる。さらに、第２レンズ群Ｇ２と第３レンズ群Ｇ３に加え、第１レンズ群Ｇ１を移動させることにより、コンパクトな光学系で変倍比を大きくさせやすくなる。
【００９１】
ここで、第１レンズ群Ｇ１は、広角端に対し望遠端で物体側に位置させるようにするのが望ましい。それにより、広角端での全長が小さくでき、また、望遠端の焦点距離を長くするのに有利となる。
【００９２】
若しくは、第２レンズ群Ｇ２は、広角端と望遠端の間で最も像側に近づけるようにするのが望ましい。つまり、第２レンズ群Ｇ２は、広角端から望遠端にて像側の凸状の軌跡で移動することが好ましい。それにより、広角側での変倍負担を担い、一方、望遠側では第３レンズ群Ｇ３の移動範囲を確保し、高変倍比化に有利となる。
【００９３】
若しくは、第３レンズ群Ｇ３は、広角端から望遠端にほぼ単調に物体側に移動させるようにするのが望ましい。つまり、第３レンズ群Ｇ３は、広角端から望遠端までのズーミングの間物体側にのみ移動することが好ましい。
【００９４】
上述の第１レンズ群Ｇ１、第２レンズ群Ｇ２、第３レンズ群Ｇ３が共に上述の移動を行うことにより、広角域では第３レンズ群Ｇ３に、望遠域では第２レンズ群Ｇ２に変倍負担が大きくなり、高変倍でも結像性能の確保がしやすくなる。
【００９５】
また、第１レンズ群Ｇ１は、多くても２枚のレンズで構成することにより、第１レンズ群Ｇ１のレンズ径をコンパクトにすることができる。これは結果として、第１レンズ群Ｇ１の厚さを小さくすることができる。
【００９６】
さらに、第１レンズ群Ｇ１は、１枚の正レンズから構成するのが望ましい。これは、全長短縮、第１レンズ群Ｇ１のコスト低減上、好ましい。
【００９７】
あるいは、物体側より順に、１枚の負レンズと１枚の正レンズから構成するのが望ましい。こうすることにより、第１レンズ群Ｇ１での色収差等の補正に効果がある。
【００９８】
さらには、１枚の負レンズと１枚の正レンズからなる接合レンズから構成するのが望ましい。こうすることにより、２つのレンズ面間での反射光が抑えら、ゴースト低減しやすくなる。
【００９９】
第２レンズ群Ｇ２は、物体側から順に、負メニスカスレンズＬ２１、負メニスカスレンズ又は平凹負レンズＬ２２、正メニスカスレンズＬ２３から構成することにより、高次収差を精度良くコンロトールすることができ、性能の確保が容易になる。
【０１００】
さらに、条件式（４）は基本的な変倍比に関するものである。条件式（４）を満足し、条件式（６）の上限の１．８を越えると、コンパクトで条件式（４）で規定される変倍比を稼ぐのが難しくなる。その下限の１．１を越えると、負メニスカスレンズ又は平凹負レンズだけでは、コンパクトのままパワーを確保するのが難しくなる。
【０１０１】
また、条件式（４）の下限値を３．３、さらには３．５としてもよい。
【０１０２】
また、条件式（４）の上限値を７．０、さらには６．３としてもよい。
【０１０３】
また、条件式（６）の下限値を１．３、さらには１．３５としてもよい。
【０１０４】
また、条件式（６）の上限値を１．７、さらには１．６としてもよい。
【０１０５】
本発明の第１６のズームレンズは、第１５のズームレンズにおいて、以下の条件式を満足することを特徴とするものである。
【０１０６】
６．４＜ＬW ／ｆW ＜７．４                                    ・・・（１）
ただし、ＬW ：広角端での全長、
ｆW ：広角端での全系の焦点距離、
である。
【０１０７】
第１６のズームレンズにおいて上記構成をとる理由と作用を説明すると、条件式（１）は、広角端での全系の焦点距離に対する全長（レンズ系第１面から像面までの長さ）の比を規定したもので、その上限の７．４を越えると、広角端での全長が長くなり、レンズユニットの大型化を招く。また、第１レンズ群Ｇ１での光線高が高くなるので、レンズ径の増大を招く。下限の６．４を越えると、結果的に第２レンズ群Ｇ２〜第３レンズ群Ｇ３の間隔が狭くなるため、変倍に必要なスペースを確保できなくなる。
【０１０８】
また、条件式（１）の下限値を６．５５、さらには６．５としてもよい。
【０１０９】
また、条件式（１）の上限値を７．２、さらには７．０としてもよい。
【０１１０】
本発明の第１７のズームレンズは、第１５、第１６のズームレンズにおいて、第３レンズ群Ｇ３は、正レンズ２枚と負レンズ１枚から構成されていることを特徴とするものである。
【０１１１】
第１７のズームレンズにおいて上記構成をとる理由と作用を説明すると、このような構成により、第３レンズ群Ｇ３に収斂作用を持たせ、収差を良好に抑えつつ、第３レンズ群Ｇ３の厚さを薄くすることができる。
【０１１２】
本発明の第１８のズームレンズは、第１５〜第１７のズームレンズにおいて、以下の条件式を満足することを特徴とするものである。
【０１１３】
５．８＜ｆ1 ／ｆW ＜８．０                                    ・・・（２）
ただし、ｆW ：広角端での全系の焦点距離、
ｆ1 ：第１レンズ群の焦点距離、
である。
【０１１４】
第１８のズームレンズにおいて上記構成をとる理由と作用を説明すると、条件式（２）は、第１レンズ群Ｇ１の屈折力を適切に定めた条件である。条件式（２）の上限の８．０を越えてｆ1 が大きくなると、小型化を維持しつつ、後ろの群で変倍を行うのが難しくなる。下限の５．８を越えると、第１レンズ群Ｇ１で発生する収差量が増えて、良好な結像性能を得るのが難しくなる。
【０１１５】
また、条件式（２）の下限値を５．９５、さらには６．０５としてもよい。
【０１１６】
また、条件式（２）の上限値を７．５、さらには７．０としてもよい。
【０１１７】
本発明の第１９のズームレンズは、第１５〜第１８のズームレンズにおいて、以下の条件式を満足することを特徴とするものである。
【０１１８】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【０１１９】
第１９のズームレンズにおいて上記構成をとる理由と作用を説明すると、条件式（３）は、広角端における第２レンズ群Ｇ２、第３レンズ群Ｇ３、第４レンズ群Ｇ４の適切な群間隔比を定めたものである。条件式（３）の上限の２．６より大きくなると、広角時の第１レンズ群Ｇ１、第２レンズ群Ｇ２が物体側に寄って、軸外光線の高さが大きくなり、レンズ径の大型化を招きやすくなる。若しくは、明るさ絞りを、第３レンズ群Ｇ３と共に移動させる場合、第２レンズ群Ｇ２−第３レンズ群Ｇ３間が狭まることによって像面への射出角度が大きくなりやすく、シェーディング特性の悪化を招く。条件式（３）の下限値２より小さくなると、第２レンズ群Ｇ２−第３レンズ群Ｇ３間の間隔が小さくなり、変倍に必要なスペースが確保し難くなる。
【０１２０】
また、条件式（３）の下限値を２．０５、さらには２．０７としてもよい。
【０１２１】
また、条件式（３）の上限値を２．５５、さらには２．５２としてもよい。
【０１２２】
本発明の第２０のズームレンズは、第１５〜第１９のズームレンズにおいて、以下の条件式を満足することを特徴とするものである。
【０１２３】
１．８＜Ｄ2W／ｆW ＜２．８                                    ・・・（５）
ただし、ｆW ：広角端での全系の焦点距離、
である。
【０１２４】
第２０のズームレンズにおいて上記構成をとる理由と作用を説明すると、条件式（４）を満足し、条件式（５）の上限の２．８を越えると、広角時の第１レンズ群Ｇ１、第２レンズ群Ｇ２が物体側に寄って、軸外光線の高さが大きくなりレンズ径の大型化を招くか、第２レンズ群Ｇ２−第３レンズ群Ｇ３間が狭まることによって像面への射出角度が大きくなり、シェーディング特性の悪化を招く。条件式（５）の下限の１．８を越えると、第２レンズ群Ｇ２−第３レンズ群Ｇ３間の間隔の変化量が確保できず、結像性能を確保した上で条件式（４）を満足するのが難しくなる。
【０１２５】
条件式（４）、（５）何れか一方若しくは双方について、以下の数値範囲としてもよい。
【０１２６】
３＜（β2T／β2W）＊（β3T／β3W）＊（β4T／β4W）＜７      ・・・（４）’
２．０＜Ｄ2W／ｆW ＜２．８                                  ・・・（５）’
また、条件式（５）の下限値を２．２、さらには２．３５としてもよい。
【０１２７】
また、条件式（５）の上限値を２．７５、さらには２．７としてもよい。
【０１２８】
本発明の第２１のズームレンズは、物体側より順に、正の屈折力を有する第１レンズ群Ｇ１と、負の屈折力を有する第２レンズ群Ｇ２と、正の屈折力を有する第３レンズ群Ｇ３
と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、第２レンズ群Ｇ２の２枚の負レンズの硝材の屈折率が何れも１．８１以上で、かつ、第２レンズ群Ｇ２の正レンズの硝材の屈折率が１．９以上であることを特徴とするものである。
【０１２９】
以下、第２１のズームレンズにおいて上記構成をとる理由と作用を説明する。
【０１３０】
第１のズームレンズの構成をとる理由と作用に関する説明中の条件式（１）に関する説明以外は同様である。
【０１３１】
さらに、第２レンズ群Ｇ２の２枚の負レンズの硝材の屈折率が何れも１．８１以下であり、かつ、第２レンズ群Ｇ２の正レンズの硝材の屈折率が１．９以下であると、色収差の補正が難しくなる。また、ペッツバール和が負方向に大きくなり、像面湾曲が大きくなってしまう。
【０１３２】
本発明の第２２のズームレンズは、第２１のズームレンズにおいて、以下の条件式を満足することを特徴とするものである。
【０１３３】
６．４＜ＬW ／ｆW ＜７．４                                    ・・・（１）
ただし、ＬW ：広角端での全長、
ｆW ：広角端での全系の焦点距離、
である。
【０１３４】
第２２のズームレンズにおいて上記構成をとる理由と作用を説明すると、条件式（１）は、広角端での全系の焦点距離に対する全長（レンズ系第１面から像面までの長さ）の比を規定したもので、その上限の７．４を越えると、広角端での全長が長くなり、レンズユニットの大型化を招く。また、第１レンズ群Ｇ１での光線高が高くなるので、レンズ径の増大を招く。下限の６．４を越えると、結果的に第２レンズ群Ｇ２〜第３レンズ群Ｇ３の間隔が狭くなるため、変倍に必要なスペースを確保できなくなる。
【０１３５】
また、条件式（１）の下限値を６．５５、さらには６．５としてもよい。
【０１３６】
また、条件式（１）の上限値を７．２、さらには７．０としてもよい。
【０１３７】
本発明の第２３のズームレンズは、第２１、第２２のズームレンズにおいて、第３レンズ群Ｇ３は、正レンズ２枚と負レンズ１枚から構成されていることを特徴とするものである。
【０１３８】
第２３のズームレンズにおいて上記構成をとる理由と作用を説明すると、このような構成により、第３レンズ群Ｇ３に収斂作用を持たせ、収差を良好に抑えつつ、第３レンズ群Ｇ３の厚さを薄くすることができる。
【０１３９】
本発明の第２４のズームレンズは、第２１〜第２３のズームレンズにおいて、以下の条件式を満足することを特徴とするものである。
【０１４０】
５．８＜ｆ1 ／ｆW ＜８．０                                    ・・・（２）
ただし、ｆW ：広角端での全系の焦点距離、
ｆ1 ：第１レンズ群の焦点距離、
である。
【０１４１】
第２４のズームレンズにおいて上記構成をとる理由と作用を説明すると、条件式（２）は、第１レンズ群Ｇ１の屈折力を適切に定めた条件である。条件式（２）の上限の８．０を越えてｆ1 が大きくなると、小型化を維持しつつ、後ろの群で変倍を行うのが難しくなる。下限の５．８を越えると、第１レンズ群Ｇ１で発生する収差量が増えて、良好な結像性能を得るのが難しくなる。
【０１４２】
また、条件式（２）の下限値を５．９５、さらには６．０５としてもよい。
【０１４３】
また、条件式（２）の上限値を７．５、さらには７．０としてもよい。
【０１４４】
本発明の第２５のズームレンズは、第２１〜第２４のズームレンズにおいて、以下の条件式を満足することを特徴とするものである。
【０１４５】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【０１４６】
第２５のズームレンズにおいて上記構成をとる理由と作用を説明すると、条件式（３）は、広角端における第２レンズ群Ｇ２、第３レンズ群Ｇ３、第４レンズ群Ｇ４の適切な群間隔比を定めたものである。条件式（３）の上限の２．６より大きくなると、広角時の第１レンズ群Ｇ１、第２レンズ群Ｇ２が物体側に寄って、軸外光線の高さが大きくなり、レンズ径の大型化を招きやすくなる。若しくは、明るさ絞りを、第３レンズ群Ｇ３と共に移動させる場合、第２レンズ群Ｇ２−第３レンズ群Ｇ３間が狭まることによって像面への射出角度が大きくなりやすく、シェーディング特性の悪化を招く。条件式（３）の下限値２より小さくなると、第２レンズ群Ｇ２−第３レンズ群Ｇ３間の間隔が小さくなり、変倍に必要なスペースが確保し難くなる。
【０１４７】
また、条件式（３）の下限値を２．０５、さらには２．０７としてもよい。
【０１４８】
また、条件式（３）の上限値を２．５５、さらには２．５２としてもよい。
【０１４９】
本発明の第２６のズームレンズは、第２１〜第２５のズームレンズにおいて、以下の条件式を満足することを特徴とするものである。
【０１５０】
３＜（β2T／β2W）＊（β3T／β3W）＊（β4T／β4W）＜１２      ・・・（４）
１．８＜Ｄ2W／ｆW ＜２．８                                    ・・・（５）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
ｆW ：広角端での全系の焦点距離、
Ｄ2W：広角端での第２レンズ群−第３レンズ群間隔、
である。
【０１５１】
第２６のズームレンズにおいて上記構成をとる理由と作用を説明すると、条件式（４）
は基本的な変倍比に関するものである。条件式（４）を満足し、条件式（５）の上限の２．８を越えると、広角時の第１レンズ群Ｇ１、第２レンズ群Ｇ２が物体側に寄って、軸外光線の高さが大きくなりレンズ径の大型化を招くか、第２レンズ群Ｇ２−第３レンズ群Ｇ３間が狭まることによって像面への射出角度が大きくなり、シェーディング特性の悪化を招く。条件式（５）の下限の１．８を越えると、第２レンズ群Ｇ２−第３レンズ群Ｇ３間の間隔の変化量が確保できず、結像性能を確保した上で条件式（４）を満足するのが難しくなる。
【０１５２】
条件式（４）、（５）何れか一方若しくは双方について、以下の数値範囲としてもよい。
【０１５３】
３＜（β2T／β2W）＊（β3T／β3W）＊（β4T／β4W）＜７      ・・・（４）’
２．０＜Ｄ2W／ｆW ＜２．８                                  ・・・（５）’
また、条件式（４）の下限値を３．３、さらには３．５としてもよい。
【０１５４】
また、条件式（４）の上限値を７．０、さらには６．３としてもよい。
【０１５５】
また、条件式（５）の下限値を２．２、さらには２．３５としてもよい。
【０１５６】
また、条件式（５）の上限値を２．７５、さらには２．７としてもよい。
【０１５７】
本発明の第２７のズームレンズは、第２１〜第２６のズームレンズにおいて、以下の条件式を満足することを特徴とするものである。
【０１５８】
３＜（β2T／β2W）＊（β3T／β3W）＊（β4T／β4W）＜１２      ・・・（４）
１．１＜｜ｆ2 ／ｆW ｜＜１．８                                ・・・（６）
ただし、ｆW ：広角端での全系の焦点距離、
ｆ2 ：第２レンズ群の焦点距離、
β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０１５９】
第２７のズームレンズにおいて上記構成をとる理由と作用を説明すると、条件式（４）は基本的な変倍比に関するものである。条件式（４）を満足し、条件式（６）の上限の１．８を越えると、コンパクトで条件式（４）で規定される変倍比を稼ぐのが難しくなる。その下限の１．１を越えると、負メニスカスレンズ又は平凹負レンズだけでは、コンパクトのままパワーを確保するのが難しくなる。
【０１６０】
また、条件式（４）の下限値を３．３、さらには３．５としてもよい。
【０１６１】
また、条件式（４）の上限値を７．０、さらには６．３としてもよい。
【０１６２】
また、条件式（６）の下限値を１．３、さらには１．３５としてもよい。
【０１６３】
また、条件式（６）の上限値を１．７、さらには１．６としてもよい。
【０１６４】
本発明の第２８のズームレンズは、物体側より順に、正の屈折力を有する第１レンズ群Ｇ１と、負の屈折力を有する第２レンズ群Ｇ２と、正の屈折力を有する第３レンズ群Ｇ３
と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするものである。
【０１６５】
３＜（β2T／β2W）＊（β3T／β3W）＊（β4T／β4W）＜１２      ・・・（４）
０．８＜（β2T／β2W）／（β3T／β3W）＜１．１                ・・・（７）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０１６６】
以下、第２８のズームレンズにおいて上記構成をとる理由と作用を説明する。
【０１６７】
第１のズームレンズの構成をとる理由と作用に関する説明中の条件式（１）に関する説明以外は同様である。
【０１６８】
さらに、条件式（４）は基本的な変倍比に関するものである。条件式（４）を満足し、条件式（７）の上限の１．１を越えると、第２レンズ群Ｇ２の変倍負担が大きくなり、全長の増加及び前玉径の増大を招きやすい。下限の０．８を越えると、第３レンズ群Ｇ３の変倍による移動量が大きくなり、望遠端のＦナンバーが暗くなる。また、撮像素子のＣＣＤへの入射角変動量が大きくなる。若しくは、第３レンズ群Ｇ３のパワーが大きくなり、収差量が増大して結像性能の確保が難しくなる。
【０１６９】
本発明の第２９のズームレンズは、第２８のズームレンズにおいて、以下の条件式を満足することを特徴とするものである。
【０１７０】
６．４＜ＬW ／ｆW ＜７．４                                    ・・・（１）
ただし、ＬW ：広角端での全長、
ｆW ：広角端での全系の焦点距離、
である。
【０１７１】
第２９のズームレンズにおいて上記構成をとる理由と作用を説明すると、条件式（１）は、広角端での全系の焦点距離に対する全長（レンズ系第１面から像面までの長さ）の比を規定したもので、その上限の７．４を越えると、広角端での全長が長くなり、レンズユニットの大型化を招く。また、第１レンズ群Ｇ１での光線高が高くなるので、レンズ径の増大を招く。下限の６．４を越えると、結果的に第２レンズ群Ｇ２〜第３レンズ群Ｇ３の間隔が狭くなるため、変倍に必要なスペースを確保できなくなる。
【０１７２】
また、条件式（１）の下限値を６．５５、さらには６．５としてもよい。
【０１７３】
また、条件式（１）の上限値を７．２、さらには７．０としてもよい。
【０１７４】
本発明の第３０のズームレンズは、第２８、第２９のズームレンズにおいて、第３レンズ群Ｇ３は、正レンズ２枚と負レンズ１枚から構成されていることを特徴とするものである。
【０１７５】
第３０のズームレンズにおいて上記構成をとる理由と作用を説明すると、このような構成により、第３レンズ群Ｇ３に収斂作用を持たせ、収差を良好に抑えつつ、第３レンズ群Ｇ３の厚さを薄くすることができる。
【０１７６】
本発明の第３１のズームレンズは、第２８〜第３０のズームレンズにおいて、以下の条件式を満足することを特徴とするものである。
【０１７７】
５．８＜ｆ1 ／ｆW ＜８．０                                    ・・・（２）
ただし、ｆW ：広角端での全系の焦点距離、
ｆ1 ：第１レンズ群の焦点距離、
である。
【０１７８】
第３１のズームレンズにおいて上記構成をとる理由と作用を説明すると、条件式（２）は、第１レンズ群Ｇ１の屈折力を適切に定めた条件である。条件式（２）の上限の８．０を越えてｆ1 が大きくなると、小型化を維持しつつ、後ろの群で変倍を行うのが難しくなる。下限の５．８を越えると、第１レンズ群Ｇ１で発生する収差量が増えて、良好な結像性能を得るのが難しくなる。
【０１７９】
また、条件式（２）の下限値を５．９５、さらには６．０５としてもよい。
【０１８０】
また、条件式（２）の上限値を７．５、さらには７．０としてもよい。
【０１８１】
本発明の第３２のズームレンズは、第２８〜第３１のズームレンズにおいて、以下の条件式を満足することを特徴とするものである。
【０１８２】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【０１８３】
第３２のズームレンズにおいて上記構成をとる理由と作用を説明すると、条件式（３）は、広角端における第２レンズ群Ｇ２、第３レンズ群Ｇ３、第４レンズ群Ｇ４の適切な群間隔比を定めたものである。条件式（３）の上限の２．６より大きくなると、広角時の第１レンズ群Ｇ１、第２レンズ群Ｇ２が物体側に寄って、軸外光線の高さが大きくなり、レンズ径の大型化を招きやすくなる。若しくは、明るさ絞りを、第３レンズ群Ｇ３と共に移動させる場合、第２レンズ群Ｇ２−第３レンズ群Ｇ３間が狭まることによって像面への射出角度が大きくなりやすく、シェーディング特性の悪化を招く。条件式（３）の下限値２より小さくなると、第２レンズ群Ｇ２−第３レンズ群Ｇ３間の間隔が小さくなり、変倍に必要なスペースが確保し難くなる。
【０１８４】
また、条件式（３）の下限値を２．０５、さらには２．０７としてもよい。
【０１８５】
また、条件式（３）の上限値を２．５５、さらには２．５２としてもよい。
【０１８６】
本発明の第３３のズームレンズは、第２８〜第３２のズームレンズにおいて、以下の条件式を満足することを特徴とするものである。
【０１８７】
３＜（β2T／β2W）＊（β3T／β3W）＊（β4T／β4W）＜１２      ・・・（４）
１．８＜Ｄ2W／ｆW ＜２．８                                    ・・・（５）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
ｆW ：広角端での全系の焦点距離、
Ｄ2W：広角端での第２レンズ群−第３レンズ群間隔、
である。
【０１８８】
第３３のズームレンズにおいて上記構成をとる理由と作用を説明すると、条件式（４）は基本的な変倍比に関するものである。条件式（４）を満足し、条件式（５）の上限の２．８を越えると、広角時の第１レンズ群Ｇ１、第２レンズ群Ｇ２が物体側に寄って、軸外光線の高さが大きくなりレンズ径の大型化を招くか、第２レンズ群Ｇ２−第３レンズ群Ｇ３間が狭まることによって像面への射出角度が大きくなり、シェーディング特性の悪化を招く。条件式（５）の下限の１．８を越えると、第２レンズ群Ｇ２−第３レンズ群Ｇ３間の間隔の変化量が確保できず、結像性能を確保した上で条件式（４）を満足するのが難しくなる。
【０１８９】
条件式（４）、（５）何れか一方若しくは双方について、以下の数値範囲としてもよい。
【０１９０】
３＜（β2T／β2W）＊（β3T／β3W）＊（β4T／β4W）＜７      ・・・（４）’
２．０＜Ｄ2W／ｆW ＜２．８                                  ・・・（５）’
また、条件式（４）の下限値を３．３、さらには３．５としてもよい。
【０１９１】
また、条件式（４）の上限値を７．０、さらには６．３としてもよい。
【０１９２】
また、条件式（５）の下限値を２．２、さらには２．３５としてもよい。
【０１９３】
また、条件式（５）の上限値を２．７５、さらには２．７としてもよい。
【０１９４】
本発明の第３４のズームレンズは、第２８〜第３３のズームレンズにおいて、以下の条件式を満足することを特徴とするものである。
【０１９５】
３＜（β2T／β2W）＊（β3T／β3W）＊（β4T／β4W）＜１２      ・・・（４）
１．１＜｜ｆ2 ／ｆW ｜＜１．８                                ・・・（６）
ただし、ｆW ：広角端での全系の焦点距離、
ｆ2 ：第２レンズ群の焦点距離、
β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０１９６】
第３４のズームレンズにおいて上記構成をとる理由と作用を説明すると、条件式（４）は基本的な変倍比に関するものである。条件式（４）を満足し、条件式（６）の上限の１．８を越えると、コンパクトで条件式（４）で規定される変倍比を稼ぐのが難しくなる。その下限の１．１を越えると、負メニスカスレンズ又は平凹負レンズだけでは、コンパクトのままパワーを確保するのが難しくなる。
【０１９７】
また、条件式（４）の下限値を３．３、さらには３．５としてもよい。
【０１９８】
また、条件式（４）の上限値を７．０、さらには６．３としてもよい。
【０１９９】
また、条件式（６）の下限値を１．３、さらには１．３５としてもよい。
【０２００】
また、条件式（６）の上限値を１．７、さらには１．６としてもよい。
【０２０１】
本発明の第３５のズームレンズは、第２８〜第３４のズームレンズにおいて、第２レンズ群Ｇ２の２枚の負レンズの硝材の屈折率が何れも１．８１以下で、かつ、第２レンズ群Ｇ２の正レンズの硝材の屈折率が１．９以下であることを特徴とするものである。
【０２０２】
第３５のズームレンズにおいて上記構成をとる理由と作用を説明すると、第２レンズ群Ｇ２の２枚の負レンズの硝材の屈折率が何れも１．８１以下であり、かつ、第２レンズ群Ｇ２の正レンズの硝材の屈折率が１．９以下であると、色収差の補正が難しくなる。また、ペッツバール和が負方向に大きくなり、像面湾曲が大きくなってしまう。
【０２０３】
本発明の第３６のズームレンズは、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするものである。
【０２０４】
０．９＜ΔT3G ／ｆW ＜３                                      ・・・（８）
ただし、ΔT3G ：広角端から望遠端の間での第３レンズ群の移動量、
である。
【０２０５】
以下、第３６のズームレンズにおいて上記構成をとる理由と作用を説明する。
【０２０６】
第１のズームレンズの構成をとる理由と作用に関する説明中の条件式（１）に関する説明以外は同様である。
【０２０７】
さらに、条件式（８）の上限の３を越えると、望遠端での全長が長くなりすぎ好ましくなく、下限の０．９を越えると、第３レンズ群Ｇ３での変倍比が小さくなり、若しくは、少ない枚数で結像性能を確保するのが難しくなり、好ましくない、
本発明の第３７のズームレンズは、第３６のズームレンズにおいて、以下の条件式を満足することを特徴とするものである。
【０２０８】
６．４＜ＬW ／ｆW ＜７．４                                    ・・・（１）
ただし、ＬW ：広角端での全長、
ｆW ：広角端での全系の焦点距離、
である。
【０２０９】
第３７のズームレンズにおいて上記構成をとる理由と作用を説明すると、条件式（１）は、広角端での全系の焦点距離に対する全長（レンズ系第１面から像面までの長さ）の比を規定したもので、その上限の７．４を越えると、広角端での全長が長くなり、レンズユニットの大型化を招く。また、第１レンズ群Ｇ１での光線高が高くなるので、レンズ径の
増大を招く。下限の６．４を越えると、結果的に第２レンズ群Ｇ２〜第３レンズ群Ｇ３の間隔が狭くなるため、変倍に必要なスペースを確保できなくなる。
【０２１０】
また、条件式（１）の下限値を６．５５、さらには６．５としてもよい。
【０２１１】
また、条件式（１）の上限値を７．２、さらには７．０としてもよい。
【０２１２】
本発明の第３８のズームレンズは、第３６、第３７のズームレンズにおいて、第３レンズ群Ｇ３は、正レンズ２枚と負レンズ１枚から構成されていることを特徴とするものである。
【０２１３】
第３８のズームレンズにおいて上記構成をとる理由と作用を説明すると、このような構成により、第３レンズ群Ｇ３に収斂作用を持たせ、収差を良好に抑えつつ、第３レンズ群Ｇ３の厚さを薄くすることができる。
【０２１４】
本発明の第３９のズームレンズは、第３６〜第３８のズームレンズにおいて、以下の条件式を満足することを特徴とするものである。
【０２１５】
５．８＜ｆ1 ／ｆW ＜８．０                                    ・・・（２）
ただし、ｆW ：広角端での全系の焦点距離、
ｆ1 ：第１レンズ群の焦点距離、
である。
【０２１６】
第３９のズームレンズにおいて上記構成をとる理由と作用を説明すると、条件式（２）は、第１レンズ群Ｇ１の屈折力を適切に定めた条件である。条件式（２）の上限の８．０を越えてｆ1 が大きくなると、小型化を維持しつつ、後ろの群で変倍を行うのが難しくなる。下限の５．８を越えると、第１レンズ群Ｇ１で発生する収差量が増えて、良好な結像性能を得るのが難しくなる。
【０２１７】
また、条件式（２）の下限値を５．９５、さらには６．０５としてもよい。
【０２１８】
また、条件式（２）の上限値を７．５、さらには７．０としてもよい。
【０２１９】
本発明の第４０のズームレンズは、第３６〜第３９のズームレンズにおいて、以下の条件式を満足することを特徴とするものである。
【０２２０】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【０２２１】
第４０のズームレンズにおいて上記構成をとる理由と作用を説明すると、条件式（３）は、広角端における第２レンズ群Ｇ２、第３レンズ群Ｇ３、第４レンズ群Ｇ４の適切な群間隔比を定めたものである。条件式（３）の上限の２．６より大きくなると、広角時の第１レンズ群Ｇ１、第２レンズ群Ｇ２が物体側に寄って、軸外光線の高さが大きくなり、レンズ径の大型化を招きやすくなる。若しくは、明るさ絞りを、第３レンズ群Ｇ３と共に移動させる場合、第２レンズ群Ｇ２−第３レンズ群Ｇ３間が狭まることによって像面への射出角度が大きくなりやすく、シェーディング特性の悪化を招く。条件式（３）の下限値２より小さくなると、第２レンズ群Ｇ２−第３レンズ群Ｇ３間の間隔が小さくなり、変倍に必要なスペースが確保し難くなる。
【０２２２】
また、条件式（３）の下限値を２．０５、さらには２．０７としてもよい。
【０２２３】
また、条件式（３）の上限値を２．５５、さらには２．５２としてもよい。
【０２２４】
本発明の第４１のズームレンズは、第３６〜第４０のズームレンズにおいて、以下の条件式を満足することを特徴とするものである。
【０２２５】
３＜（β2T／β2W）＊（β3T／β3W）＊（β4T／β4W）＜１２      ・・・（４）
１．８＜Ｄ2W／ｆW ＜２．８                                    ・・・（５）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
ｆW ：広角端での全系の焦点距離、
Ｄ2W：広角端での第２レンズ群−第３レンズ群間隔、
である。
【０２２６】
第４１のズームレンズにおいて上記構成をとる理由と作用を説明すると、条件式（４）は基本的な変倍比に関するものである。条件式（４）を満足し、条件式（５）の上限の２．８を越えると、広角時の第１レンズ群Ｇ１、第２レンズ群Ｇ２が物体側に寄って、軸外光線の高さが大きくなりレンズ径の大型化を招くか、第２レンズ群Ｇ２−第３レンズ群Ｇ３間が狭まることによって像面への射出角度が大きくなり、シェーディング特性の悪化を招く。条件式（５）の下限の１．８を越えると、第２レンズ群Ｇ２−第３レンズ群Ｇ３間の間隔の変化量が確保できず、結像性能を確保した上で条件式（４）を満足するのが難しくなる。
【０２２７】
条件式（４）、（５）何れか一方若しくは双方について、以下の数値範囲としてもよい。
【０２２８】
３＜（β2T／β2W）＊（β3T／β3W）＊（β4T／β4W）＜７      ・・・（４）’
２．０＜Ｄ2W／ｆW ＜２．８                                  ・・・（５）’
また、条件式（４）の下限値を３．３、さらには３．５としてもよい。
【０２２９】
また、条件式（４）の上限値を７．０、さらには６．３としてもよい。
【０２３０】
また、条件式（５）の下限値を２．２、さらには２．３５としてもよい。
【０２３１】
また、条件式（５）の上限値を２．７５、さらには２．７としてもよい。
【０２３２】
本発明の第４２のズームレンズは、第３６〜第４１のズームレンズにおいて、以下の条件式を満足することを特徴とするものである。
【０２３３】
３＜（β2T／β2W）＊（β3T／β3W）＊（β4T／β4W）＜１２      ・・・（４）
１．１＜｜ｆ2 ／ｆW ｜＜１．８                                ・・・（６）
ただし、ｆW ：広角端での全系の焦点距離、
ｆ2 ：第２レンズ群の焦点距離、
β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０２３４】
第４２のズームレンズにおいて上記構成をとる理由と作用を説明すると、条件式（４）は基本的な変倍比に関するものである。条件式（４）を満足し、条件式（６）の上限の１．８を越えると、コンパクトで条件式（４）で規定される変倍比を稼ぐのが難しくなる。その下限の１．１を越えると、負メニスカスレンズ又は平凹負レンズだけでは、コンパクトのままパワーを確保するのが難しくなる。
【０２３５】
また、条件式（４）の下限値を３．３、さらには３．５としてもよい。
【０２３６】
また、条件式（４）の上限値を７．０、さらには６．３としてもよい。
【０２３７】
また、条件式（６）の下限値を１．３、さらには１．３５としてもよい。
【０２３８】
また、条件式（６）の上限値を１．７、さらには１．６としてもよい。
【０２３９】
本発明の第４３のズームレンズは、第３６〜第４２のズームレンズにおいて、第２レンズ群Ｇ２の２枚の負レンズの硝材の屈折率が何れも１．８１以上で、かつ、第２レンズ群Ｇ２の正レンズの硝材の屈折率が１．９以上であることを特徴とするものである。
【０２４０】
第４３のズームレンズにおいて上記構成をとる理由と作用を説明すると、第２レンズ群Ｇ２の２枚の負レンズの硝材の屈折率が何れも１．８１以下であり、かつ、第２レンズ群Ｇ２の正レンズの硝材の屈折率が１．９以下であると、色収差の補正が難しくなる。また、ペッツバール和が負方向に大きくなり、像面湾曲が大きくなってしまう。
【０２４１】
本発明の第４４のズームレンズは、第３６〜第４３のズームレンズにおいて、以下の条件式を満足することを特徴とするものである。
【０２４２】
３＜（β2T／β2W）＊（β3T／β3W）＊（β4T／β4W）＜１２      ・・・（４）
０．８＜（β2T／β2W）／（β3T／β3W）＜１．１                ・・・（７）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０２４３】
第４４のズームレンズにおいて上記構成をとる理由と作用を説明すると、条件式（４）は基本的な変倍比に関するものである。条件式（４）を満足し、条件式（７）の上限の１．１を越えると、第２レンズ群Ｇ２の変倍負担が大きくなり、全長の増加及び前玉径の増大を招きやすい。下限の０．８を越えると、第３レンズ群Ｇ３の変倍による移動量が大きくなり、望遠端のＦナンバーが暗くなる。また、撮像素子のＣＣＤへの入射角変動量が大きくなる。若しくは、第３レンズ群Ｇ３のパワーが大きくなり、収差量が増大して結像性能の確保が難しくなる。
【０２４４】
本発明の第４５のズームレンズは、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少
なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするものである。
【０２４５】
１．２＜ｆ3 ／ｆW ＜１．８５                                  ・・・（９）
ただし、ｆW ：広角端での全系の焦点距離、
ｆ3 ：第３レンズ群の焦点距離、
である。
【０２４６】
以下、第４５のズームレンズにおいて上記構成をとる理由と作用を説明する。
【０２４７】
第１のズームレンズの構成をとる理由と作用に関する説明中の条件式（１）に関する説明以外は同様である。
【０２４８】
さらに、条件式（９）は、第３レンズ群Ｇ３の適正な屈折力を特定したものである。条件式（９）の上限の１．８５を越えると、第３レンズ群Ｇ３での変倍作用が弱くなり、望遠端への変倍時の全長が長くなる。また、射出瞳位置の変動量が大きくなるため、軸外の像面位置でＣＣＤ等撮像素子への入射角変動が大きくなり、シェーディング等に悪影響を及ぼす。条件式（９）の下限の１．２より小さくなると、枚数を増やしコンパクト性を損なわないと、収差発生量が増えて良好な結像性能を得るのが難しくなる。また、十分なバックフォーカスが得難くなる。
【０２４９】
また、条件式（９）の下限値を１．４、さらには１．６としてもよい。
【０２５０】
また、条件式（９）の上限値を１．８３、さらには１．８１としてもよい。
【０２５１】
本発明の第４６のズームレンズは、第４５のズームレンズにおいて、以下の条件式を満足することを特徴とするものである。
【０２５２】
６．４＜ＬW ／ｆW ＜７．４                                    ・・・（１）
ただし、ＬW ：広角端での全長、
ｆW ：広角端での全系の焦点距離、
である。
【０２５３】
第４６のズームレンズにおいて上記構成をとる理由と作用を説明すると、条件式（１）は、広角端での全系の焦点距離に対する全長（レンズ系第１面から像面までの長さ）の比を規定したもので、その上限の７．４を越えると、広角端での全長が長くなり、レンズユニットの大型化を招く。また、第１レンズ群Ｇ１での光線高が高くなるので、レンズ径の増大を招く。下限の６．４を越えると、結果的に第２レンズ群Ｇ２〜第３レンズ群Ｇ３の間隔が狭くなるため、変倍に必要なスペースを確保できなくなる。
【０２５４】
また、条件式（１）の下限値を６．５５、さらには６．５としてもよい。
【０２５５】
また、条件式（１）の上限値を７．２、さらには７．０としてもよい。
【０２５６】
本発明の第４７のズームレンズは、第４５、第４６のズームレンズにおいて、第３レンズ群Ｇ３は、正レンズ２枚と負レンズ１枚から構成されていることを特徴とするものである。
【０２５７】
第４７のズームレンズにおいて上記構成をとる理由と作用を説明すると、このような構成により、第３レンズ群Ｇ３に収斂作用を持たせ、収差を良好に抑えつつ、第３レンズ群Ｇ３の厚さを薄くすることができる。
【０２５８】
本発明の第４８のズームレンズは、第４５〜第４７のズームレンズにおいて、以下の条件式を満足することを特徴とするものである。
【０２５９】
５．８＜ｆ1 ／ｆW ＜８．０                                    ・・・（２）
ただし、ｆW ：広角端での全系の焦点距離、
ｆ1 ：第１レンズ群の焦点距離、
である。
【０２６０】
第４８のズームレンズにおいて上記構成をとる理由と作用を説明すると、条件式（２）は、第１レンズ群Ｇ１の屈折力を適切に定めた条件である。条件式（２）の上限の８．０を越えてｆ1 が大きくなると、小型化を維持しつつ、後ろの群で変倍を行うのが難しくなる。下限の５．８を越えると、第１レンズ群Ｇ１で発生する収差量が増えて、良好な結像性能を得るのが難しくなる。
【０２６１】
また、条件式（２）の下限値を５．９５、さらには６．０５としてもよい。
【０２６２】
また、条件式（２）の上限値を７．５、さらには７．０としてもよい。
【０２６３】
本発明の第４９のズームレンズは、第４５〜第４８のズームレンズにおいて、以下の条件式を満足することを特徴とするものである。
【０２６４】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【０２６５】
第４９のズームレンズにおいて上記構成をとる理由と作用を説明すると、条件式（３）は、広角端における第２レンズ群Ｇ２、第３レンズ群Ｇ３、第４レンズ群Ｇ４の適切な群間隔比を定めたものである。条件式（３）の上限の２．６より大きくなると、広角時の第１レンズ群Ｇ１、第２レンズ群Ｇ２が物体側に寄って、軸外光線の高さが大きくなり、レンズ径の大型化を招きやすくなる。若しくは、明るさ絞りを、第３レンズ群Ｇ３と共に移動させる場合、第２レンズ群Ｇ２−第３レンズ群Ｇ３間が狭まることによって像面への射出角度が大きくなりやすく、シェーディング特性の悪化を招く。条件式（３）の下限値２より小さくなると、第２レンズ群Ｇ２−第３レンズ群Ｇ３間の間隔が小さくなり、変倍に必要なスペースが確保し難くなる。
【０２６６】
また、条件式（３）の下限値を２．０５、さらには２．０７としてもよい。
【０２６７】
また、条件式（３）の上限値を２．５５、さらには２．５２としてもよい。
【０２６８】
本発明の第５０のズームレンズは、第４５〜第４９のズームレンズにおいて、以下の条件式を満足することを特徴とするものである。
【０２６９】
３＜（β2T／β2W）＊（β3T／β3W）＊（β4T／β4W）＜１２      ・・・（４）
１．８＜Ｄ2W／ｆW ＜２．８                                    ・・・（５）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
ｆW ：広角端での全系の焦点距離、
Ｄ2W：広角端での第２レンズ群−第３レンズ群間隔、
である。
【０２７０】
第５０のズームレンズにおいて上記構成をとる理由と作用を説明すると、条件式（４）は基本的な変倍比に関するものである。条件式（４）を満足し、条件式（５）の上限の２．８を越えると、広角時の第１レンズ群Ｇ１、第２レンズ群Ｇ２が物体側に寄って、軸外光線の高さが大きくなりレンズ径の大型化を招くか、第２レンズ群Ｇ２−第３レンズ群Ｇ３間が狭まることによって像面への射出角度が大きくなり、シェーディング特性の悪化を招く。条件式（５）の下限の１．８を越えると、第２レンズ群Ｇ２−第３レンズ群Ｇ３間の間隔の変化量が確保できず、結像性能を確保した上で条件式（４）を満足するのが難しくなる。
【０２７１】
条件式（４）、（５）何れか一方若しくは双方について、以下の数値範囲としてもよい。
【０２７２】
３＜（β2T／β2W）＊（β3T／β3W）＊（β4T／β4W）＜７      ・・・（４）’
２．０＜Ｄ2W／ｆW ＜２．８                                  ・・・（５）’
また、条件式（４）の下限値を３．３、さらには３．５としてもよい。
【０２７３】
また、条件式（４）の上限値を７．０、さらには６．３としてもよい。
【０２７４】
また、条件式（５）の下限値を２．２、さらには２．３５としてもよい。
【０２７５】
また、条件式（５）の上限値を２．７５、さらには２．７としてもよい。
【０２７６】
本発明の第５１のズームレンズは、第４５〜第５０のズームレンズにおいて、以下の条件式を満足することを特徴とするものである。
【０２７７】
３＜（β2T／β2W）＊（β3T／β3W）＊（β4T／β4W）＜１２      ・・・（４）
１．１＜｜ｆ2 ／ｆW ｜＜１．８                                ・・・（６）
ただし、ｆW ：広角端での全系の焦点距離、
ｆ2 ：第２レンズ群の焦点距離、
β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０２７８】
第５１のズームレンズにおいて上記構成をとる理由と作用を説明すると、条件式（４）は基本的な変倍比に関するものである。条件式（４）を満足し、条件式（６）の上限の１．８を越えると、コンパクトで条件式（４）で規定される変倍比を稼ぐのが難しくなる。その下限の１．１を越えると、負メニスカスレンズ又は平凹負レンズだけでは、コンパクトのままパワーを確保するのが難しくなる。
【０２７９】
また、条件式（４）の下限値を３．３、さらには３．５としてもよい。
【０２８０】
また、条件式（４）の上限値を７．０、さらには６．３としてもよい。
【０２８１】
また、条件式（６）の下限値を１．３、さらには１．３５としてもよい。
【０２８２】
また、条件式（６）の上限値を１．７、さらには１．６としてもよい。
【０２８３】
本発明の第５２のズームレンズは、第４５〜第５１のズームレンズにおいて、第２レンズ群Ｇ２の２枚の負レンズの硝材の屈折率が何れも１．８１以上で、かつ、第２レンズ群Ｇ２の正レンズの硝材の屈折率が１．９以上であることを特徴とするものである。
【０２８４】
第５２のズームレンズにおいて上記構成をとる理由と作用を説明すると、第２レンズ群Ｇ２の２枚の負レンズの硝材の屈折率が何れも１．８１以下であり、かつ、第２レンズ群Ｇ２の正レンズの硝材の屈折率が１．９以下であると、色収差の補正が難しくなる。また、ペッツバール和が負方向に大きくなり、像面湾曲が大きくなってしまう。
【０２８５】
本発明の第５３のズームレンズは、第４５〜第５２のズームレンズにおいて、以下の条件式を満足することを特徴とするものである。
【０２８６】
３＜（β2T／β2W）＊（β3T／β3W）＊（β4T／β4W）＜１２      ・・・（４）
０．８＜（β2T／β2W）／（β3T／β3W）＜１．１                ・・・（７）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０２８７】
第５３のズームレンズにおいて上記構成をとる理由と作用を説明すると、条件式（４）は基本的な変倍比に関するものである。条件式（４）を満足し、条件式（７）の上限の１．１を越えると、第２レンズ群Ｇ２の変倍負担が大きくなり、全長の増加及び前玉径の増大を招きやすい。下限の０．８を越えると、第３レンズ群Ｇ３の変倍による移動量が大きくなり、望遠端のＦナンバーが暗くなる。また、撮像素子のＣＣＤへの入射角変動量が大きくなる。若しくは、第３レンズ群Ｇ３のパワーが大きくなり、収差量が増大して結像性能の確保が難しくなる。
【０２８８】
本発明の第５４のズームレンズは、第４５〜第５３のズームレンズにおいて、以下の条件式を満足することを特徴とするものである。
【０２８９】
０．９＜ΔT3G ／ｆW ＜３                                      ・・・（８）
ただし、ΔT3G ：広角端から望遠端の間での第３レンズ群の移動量、
である。
【０２９０】
第５４のズームレンズにおいて上記構成をとる理由と作用を説明すると、条件式（８）の上限の３を越えると、望遠端での全長が長くなりすぎ好ましくなく、下限の０．９を越えると、第３レンズ群Ｇ３での変倍比が小さくなり、若しくは、少ない枚数で結像性能を確保するのが難しくなり、好ましくない、
なお、以上の本発明において、駆動機構を含めてコンパクト性等の観点から、第４レンズ群Ｇ４は１枚のレンズで構成するのが好ましい。また、フォーカシングは第４レンズ群Ｇ４で行うのが好ましい。また、明るさ絞りは、第３レンズ群Ｇ３の物体側に配置し、第３レンズ群Ｇ３と一体として移動するのが好ましい。また、第３レンズ群Ｇ３は、物体側から順に、両凸レンズＬ３１と、像面側に凹面を向けた正メニスカスレンズＬ３２と、像
面側に凹面を向けた負メニスカスレンズＬ３３とから構成するのが好ましい。また、この正メニスカスレンズＬ３２と負メニスカスレンズＬ３３は接合レンズとするのが好ましい。
【０２９１】
なお、本発明は、コンパクトにするため４群構成とするのが好ましいが、パワーの弱いレンズ群を加えてもよいし、また、本発明の作用効果を享受しながら、像面側にレンズ群を追加し、さらに高倍率なズームレンズとしたり、高性能としたり、機能を拡大しするようにしてもよい。
【０２９２】
また、本発明の撮像装置は、以上のようなズームレンズと、その像側に配置された撮像素子とを備えているとを備えている。上記のズームレンズは、コンパクトで明るく高変倍比のものである。よって、このようなズームレンズを撮像光学系として撮像装置に搭載すれば、小型化・高機能化を図ることができる。なお、撮像装置としては、デジタルカメラ以外に、ビデオカメラ、デジタルビデオユニット等がある。
【発明の効果】
【０２９３】
以上の本発明のズームレンズ及びそれを搭載した撮像装置によると、コンパクトで明るく高変倍比化を行いやすいズームレンズとそれを搭載した撮像装置を得ることができ、より具体的には、構成枚数を少なくしやすく、Ｆ値が広角端で２. ８程度と明るく、ズーム比が４〜５倍程度と大きく、結像性能が高いコンパクトなズームレンズとそれを搭載した撮像装置を得ることができる。
【図面の簡単な説明】
【０２９４】
【図１】本発明のズームレンズの実施例１の無限遠物点合焦時の広角端（ａ）、中間状態（ｂ）、望遠端（ｃ）のレンズ断面図である。
【図２】実施例２のズームレンズの図１と同様のレンズ断面図である。
【図３】実施例３のズームレンズの図１と同様のレンズ断面図である。
【図４】実施例４のズームレンズの図１と同様のレンズ断面図である。
【図５】実施例５のズームレンズの図１と同様のレンズ断面図である。
【図６】実施例６のズームレンズの図１と同様のレンズ断面図である。
【図７】実施例１の無限遠物点合焦時の収差図である。
【図８】実施例２の無限遠物点合焦時の収差図である。
【図９】実施例３の無限遠物点合焦時の収差図である。
【図１０】実施例４の無限遠物点合焦時の収差図である。
【図１１】実施例５の無限遠物点合焦時の収差図である。
【図１２】実施例６の無限遠物点合焦時の収差図である。
【図１３】本発明によるズームレンズを組み込んだデジタルカメラの外観を示す前方斜視図である。
【図１４】図１３のデジタルカメラの後方斜視図である。
【図１５】図１３のデジタルカメラの断面図である。
【発明を実施するための形態】
【０２９５】
以下、本発明のズームレンズの実施例１〜６について説明する。実施例１〜６の無限遠物点合焦時の広角端（ａ）、中間状態（ｂ）、望遠端（ｃ）のレンズ断面図をそれぞれ図１〜図６に示す。図中、第１レンズ群はＧ１、第２レンズ群はＧ２、開口絞りはＳ、第３レンズ群はＧ３、第４レンズ群はＧ４、ＩＲカットコートを施したローパスフィルターを構成する平行平板はＦ、電子撮像素子のカバーガラスの平行平板はＣ、像面はＩで示してある。なお、カバーガラスＣＧの表面に波長域制限用の多層膜を施してもよい。また、そのカバーガラスＣＧにローパスフィルター作用を持たせるようにしてもよい。
【０２９６】
実施例１のズーム光学系は、図１に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像側の凸の軌跡を描いて移動し、望遠端では広角端の位置より像側に位置する。開口絞りＳと第３レンズ群Ｇ３は一体に物体側に単調に移動し、第４レンズ群Ｇ４は物体側に凸の軌跡を描いて移動し、望遠端では広角端の位置より物体側に位置する。
【０２９７】
物体側から順に、第１レンズ群Ｇ１は、物体側に凸面を向けた負メニスカスレンズと物体側に凸面を向けた正メニスカスレンズの接合レンズからなり、第２レンズ群Ｇ２は、物体側に凸面を向けた負メニスカスレンズと、平凹負レンズと、物体側に凸面を向けた正メニスカスレンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズ１枚からなる。
【０２９８】
非球面は、第３レンズ群Ｇ３の両凸正レンズの両面と、第４レンズ群Ｇ４の両凸正レンズの両面の４面に用いている。
【０２９９】
実施例２のズーム光学系は、図２に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像側の凸の軌跡を描いて移動し、望遠端では広角端の位置より像側に位置する。開口絞りＳと第３レンズ群Ｇ３は一体に物体側に単調に移動し、第４レンズ群Ｇ４は物体側に凸の軌跡を描いて移動し、望遠端では広角端の位置より物体側に位置する。
【０３００】
物体側から順に、第１レンズ群Ｇ１は、物体側に凸面を向けた負メニスカスレンズと両凸正レンズの接合レンズからなり、第２レンズ群Ｇ２は、物体側に凸面を向けた負メニスカスレンズ２枚と、物体側に凸面を向けた正メニスカスレンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズ１枚からなる。
【０３０１】
非球面は、第３レンズ群Ｇ３の両凸正レンズの両面の２面に用いている。
【０３０２】
実施例３のズーム光学系は、図３に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像側の凸の軌跡を描いて移動し、望遠端では広角端の位置より像側に位置する。開口絞りＳと第３レンズ群Ｇ３は一体に物体側に単調に移動し、第４レンズ群Ｇ４は物体側に凸の軌跡を描いて移動し、望遠端では広角端の位置より物体側に位置する。
【０３０３】
物体側から順に、第１レンズ群Ｇ１は、物体側に凸面を向けた負メニスカスレンズと両凸正レンズの接合レンズからなり、第２レンズ群Ｇ２は、物体側に凸面を向けた負メニスカスレンズ２枚と、物体側に凸面を向けた正メニスカスレンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズ１枚からなる。
【０３０４】
非球面は、第３レンズ群Ｇ３の両凸正レンズの両面の２面に用いている。
【０３０５】
実施例４のズーム光学系は、図４に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像側の凸の軌跡を描いて移動し、望遠端では広角端の位置より像側に位置する。開口絞りＳと第３レンズ群Ｇ３は一体に物体側に単調に移動し、第４レンズ群Ｇ４は第３レンズ群Ｇ３との間隔を広げながら物体側に移動する。
【０３０６】
物体側から順に、第１レンズ群Ｇ１は、両凸正レンズ１枚からなり、第２レンズ群Ｇ２は、物体側に凸面を向けた負メニスカスレンズ２枚と、物体側に凸面を向けた正メニスカスレンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズ１枚からなる。
【０３０７】
非球面は、第３レンズ群Ｇ３の両凸正レンズの両面と、第４レンズ群Ｇ４の両凸正レンズの物体側の面の３面に用いている。
【０３０８】
実施例５のズーム光学系は、図５に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像側の凸の軌跡を描いて移動し、望遠端では広角端の位置より像側に位置する。開口絞りＳと第３レンズ群Ｇ３は一体に物体側に単調に移動し、第４レンズ群Ｇ４は物体側に凸の軌跡を描いて移動し、望遠端では広角端の位置より物体側に位置する。
【０３０９】
物体側から順に、第１レンズ群Ｇ１は、物体側に凸面を向けた負メニスカスレンズと両凸正レンズの接合レンズからなり、第２レンズ群Ｇ２は、物体側に凸面を向けた負メニスカスレンズ２枚と、物体側に凸面を向けた正メニスカスレンズとからなり、第３レンズ群Ｇ３は、両凸正レンズと、物体側に凸面を向けた正メニスカスレンズと物体側に凸面を向けた負メニスカスレンズの接合レンズとからなり、第４レンズ群Ｇ４は、両凸正レンズ１枚からなる。
【０３１０】
非球面は、第３レンズ群Ｇ３の両凸正レンズの両面と、第４レンズ群Ｇ４の両凸正レンズの物体側の面の３面に用いている。
【０３１１】
実施例６のズーム光学系は、図６に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像側の凸の軌跡を描いて移動し、望遠端では広角端の位置より像側に位置する。開口絞りＳと第３レンズ群Ｇ３は一体に物体側に単調に移動し、第４レンズ群Ｇ４は物体側に凸の軌跡を描いて移動し、望遠端では広角端の位置より物体側に位置する。
【０３１２】
物体側から順に、第１レンズ群Ｇ１は、物体側に凸面を向けた負メニスカスレンズと物体側に凸面を向けた正メニスカスレンズの接合レンズからなり、第２レンズ群Ｇ２は、物体側に凸面を向けた負メニスカスレンズと、平凹負レンズと、物体側に凸面を向けた正メニスカスレンズとからなり、第３レンズ群Ｇ３は、両凸正レンズと、物体側に凸面を向けた正メニスカスレンズと物体側に凸面を向けた負メニスカスレンズの接合レンズとからな
り、第４レンズ群Ｇ４は、物体側に凸面を向けた正メニスカスレンズ１枚からなる。
【０３１３】
非球面は、第３レンズ群Ｇ３の両凸正レンズの両面と、第４レンズ群Ｇ４の正メニスカスレンズの両面の４面に用いている。
【０３１４】
以下に、上記各実施例の数値データを示すが、記号は上記の外、ｆは全系焦点距離、ＦNOはＦナンバー、ωは半画角、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０３１５】
ｘ＝（ｙ2 ／ｒ）／［１＋｛１−（Ｋ＋１）（ｙ／ｒ）2 ｝1/2 ］
＋A4ｙ4 ＋A6ｙ6 ＋A8ｙ8 ＋ A10ｙ10＋ A12ｙ12＋ A14ｙ14
ただし、ｒは近軸曲率半径、Ｋは円錐係数、A4、A6、A8、A10 、A12 、A14 はそれぞれ４次、６次、８次、１０次、１２次、１４次の非球面係数である。
【０３１６】
実施例１
ｒ1 =    26.052             ｄ1 =  1.00     ｎd1 =1.84666 νd1 =23.78 
ｒ2 =    18.749             ｄ2 =  3.20     ｎd2 =1.71300 νd2 =53.87 
ｒ3 =   129.413             ｄ3 = （可変）  
ｒ4 =    44.225             ｄ4 =  0.90     ｎd3 =1.88300 νd3 =40.76 
ｒ5 =     8.187             ｄ5 =  2.50     
ｒ6 =     ∞                ｄ6 =  0.85     ｎd4 =1.88300 νd4 =40.76 
ｒ7 =    15.273             ｄ7 =  1.09     
ｒ8 =    13.756             ｄ8 =  2.00     ｎd5 =1.92286 νd5 =20.88 
ｒ9 =    56.639             ｄ9 = （可変）  
ｒ10=     ∞（絞り）        ｄ10=  1.00     
ｒ11=    13.960 （非球面）  ｄ11=  2.00     ｎd6 =1.74330 νd6 =49.33 
ｒ12=   -35.983 （非球面）  ｄ12=  0.50     
ｒ13=     6.486             ｄ13=  2.25     ｎd7 =1.69680 νd7 =55.53 
ｒ14=    21.204             ｄ14=  0.01     ｎd8 =1.56384 νd8 =60.67 
ｒ15=    21.204             ｄ15=  0.80     ｎd9 =1.84666 νd9 =23.78 
ｒ16=     4.830             ｄ16= （可変）  
ｒ17=    11.548 （非球面）  ｄ17=  2.74     ｎd10=1.52542 νd10=55.78 
ｒ18=   218.908 （非球面）  ｄ18= （可変）  
ｒ19=     ∞                ｄ19=  0.95     ｎd11=1.54771 νd11=62.84 
ｒ20=     ∞                ｄ20=  0.60     
ｒ21=     ∞                ｄ21=  0.50     ｎd12=1.51633 νd12=64.14 
ｒ22=     ∞                ｄ22=  1.00     
ｒ23=     ∞                
非球面係数
第１１面
Ｋ  = -0.392
Ａ4 = -5.42519×10-5
Ａ6 = -7.99687×10-6
Ａ8 =  6.60675×10-7
Ａ10= -1.95317×10-8
第１２面
Ｋ  =  0.000
Ａ4 =  4.18583×10-6
Ａ6 = -9.94224×10-6
Ａ8 =  8.61195×10-7
Ａ10= -2.49912×10-8
第１７面
Ｋ  =  0.000
Ａ4 = -2.11365×10-4
Ａ6 = -2.70713×10-6
Ａ8 =  3.48360×10-7
Ａ10= -1.13679×10-8
Ａ12= -1.43708×10-10 
Ａ14=  6.12273×10-12 
第１８面
Ｋ  =  0.000
Ａ4 = -2.44874×10-4
Ａ6 =  6.46769×10-6
Ａ8 = -2.13764×10-7
Ａ10= -7.27999×10-11 
Ａ12=  3.72890×10-11 
Ａ14= -6.98251×10-13 
ズームデータ（∞）
ＷＥ            ＳＴ            ＴＥ
ｆ (mm)             8.026          17.475          38.830 
ＦNO                2.88            3.34            4.39  
ω (°)            30.46           14.51            6.43  
ｄ3                 0.80           10.39           19.17  
ｄ9                18.16            6.64            1.67  
ｄ16                8.63           10.11           19.99                    。
ｄ18                2.68            5.70            3.48  
実施例２
ｒ1 =    29.488             ｄ1 =  1.00     ｎd1 =1.84666 νd1 =23.78 
ｒ2 =    19.156             ｄ2 =  3.60     ｎd2 =1.67790 νd2 =50.72 
ｒ3 =-390894.267            ｄ3 = （可変）  
ｒ4 =   177.797             ｄ4 =  0.85     ｎd3 =1.88300 νd3 =40.76 
ｒ5 =     9.237             ｄ5 =  2.00     
ｒ6 =  2214.408             ｄ6 =  0.80     ｎd4 =1.72916 νd4 =54.68 
ｒ7 =    14.895             ｄ7 =  1.20     
ｒ8 =    13.788             ｄ8 =  2.20     ｎd5 =1.84666 νd5 =23.78 
ｒ9 =    60.326             ｄ9 = （可変）  
ｒ10=     ∞（絞り）        ｄ10=  1.00     
ｒ11=    10.975 （非球面）  ｄ11=  2.30     ｎd6 =1.69350 νd6 =53.20 
ｒ12=   -33.341 （非球面）  ｄ12=  0.10     
ｒ13=     5.712             ｄ13=  2.50     ｎd7 =1.49700 νd7 =81.54 
ｒ14=    10.692             ｄ14=  0.01     ｎd8 =1.56384 νd8 =60.67 
ｒ15=    10.692             ｄ15=  0.80     ｎd9 =1.84666 νd9 =23.78 
ｒ16=     4.300             ｄ16= （可変）  
ｒ17=    11.921             ｄ17=  2.20     ｎd10=1.48749 νd10=70.23 
ｒ18=-10407.303             ｄ18= （可変）  
ｒ19=     ∞                ｄ19=  0.95     ｎd11=1.54771 νd11=62.84 
ｒ20=     ∞                ｄ20=  0.60     
ｒ21=     ∞                ｄ21=  0.50     ｎd12=1.51633 νd12=64.14 
ｒ22=     ∞                ｄ22=  0.60     
ｒ23=     ∞                
非球面係数
第１１面
Ｋ  = -1.149
Ａ4 = -1.22308×10-8
Ａ6 =  8.10316×10-9
Ａ8 = -5.55681×10-9
第１２面
Ｋ  =-10.109
Ａ4 =  3.71688×10-11 
Ａ6 =  2.51887×10-7
ズームデータ（∞）
ＷＥ            ＳＴ            ＴＥ
ｆ (mm)             7.843          15.841          39.635 
ＦNO                2.80            3.13            4.50  
ω (°)            30.67           15.37            6.17  
ｄ3                 0.80            9.57           18.65  
ｄ9                20.01            8.14            1.50  
ｄ16                8.69            8.91           20.02  
ｄ18                1.98            5.16            2.67                    。
【０３１７】
実施例３
ｒ1 =    26.986             ｄ1 =  1.00     ｎd1 =1.84666 νd1 =23.78 
ｒ2 =    16.515             ｄ2 =  3.80     ｎd2 =1.67003 νd2 =47.23 
ｒ3 =-244257.033            ｄ3 = （可変）  
ｒ4 =   112.654             ｄ4 =  0.85     ｎd3 =1.88300 νd3 =40.76 
ｒ5 =     9.347             ｄ5 =  2.00     
ｒ6 = 18401.111             ｄ6 =  0.80     ｎd4 =1.72916 νd4 =54.68 
ｒ7 =    11.494             ｄ7 =  1.20     
ｒ8 =    12.358             ｄ8 =  2.20     ｎd5 =1.84666 νd5 =23.78 
ｒ9 =    53.415             ｄ9 = （可変）  
ｒ10=     ∞（絞り）        ｄ10=  1.00     
ｒ11=     9.677 （非球面）  ｄ11=  2.30     ｎd6 =1.58313 νd6 =59.46 
ｒ12=   -25.547 （非球面）  ｄ12=  0.10     
ｒ13=     5.680             ｄ13=  2.30     ｎd7 =1.49700 νd7 =81.54 
ｒ14=     8.984             ｄ14=  0.01     ｎd8 =1.56384 νd8 =60.67 
ｒ15=     8.984             ｄ15=  0.80     ｎd9 =1.84666 νd9 =23.78 
ｒ16=     4.272             ｄ16= （可変）  
ｒ17=    12.940             ｄ17=  2.20     ｎd10=1.49700 νd10=81.54 
ｒ18=-23190.917             ｄ18= （可変）  
ｒ19=     ∞                ｄ19=  0.95     ｎd11=1.54771 νd11=62.84 
ｒ20=     ∞                ｄ20=  0.60     
ｒ21=     ∞                ｄ21=  0.50     ｎd12=1.51633 νd12=64.14 
ｒ22=     ∞                ｄ22=  0.59     
ｒ23=     ∞                
非球面係数
第１１面
Ｋ  = -1.239
Ａ4 = -6.46005×10-9
Ａ6 =  1.85826×10-8
Ａ8 = -2.59108×10-8
第１２面
Ｋ  = -4.428
Ａ4 =  2.79009×10-10 
Ａ6 =  3.14257×10-7
ズームデータ（∞）
ＷＥ            ＳＴ            ＴＥ
ｆ (mm)             7.853          15.765          45.985 
ＦNO                2.80            3.18            4.84  
ω (°)            30.47           15.46            5.32  
ｄ3                 0.80            8.80           19.39  
ｄ9                20.04            8.14            1.50  
ｄ16                9.33            8.60           22.68  
ｄ18                2.21            6.37            2.35                    。
【０３１８】
実施例４
ｒ1 =    25.729             ｄ1 =  3.30     ｎd1 =1.48749 νd1 =70.23 
ｒ2 =-195211.986            ｄ2 = （可変）  
ｒ3 =    62.315             ｄ3 =  0.85     ｎd2 =1.88300 νd2 =40.76 
ｒ4 =     8.171             ｄ4 =  2.00     
ｒ5 = 11064.958             ｄ5 =  0.80     ｎd3 =1.72916 νd3 =54.68 
ｒ6 =    16.294             ｄ6 =  1.15     
ｒ7 =    13.261             ｄ7 =  2.20     ｎd4 =1.84666 νd4 =23.78 
ｒ8 =    54.781             ｄ8 = （可変）  
ｒ9 =     ∞（絞り）        ｄ9 =  1.00     
ｒ10=    11.449 （非球面）  ｄ10=  2.40     ｎd5 =1.69350 νd5 =53.20 
ｒ11=   -24.146 （非球面）  ｄ11=  0.10     
ｒ12=     5.500             ｄ12=  2.60     ｎd6 =1.48749 νd6 =70.23 
ｒ13=    18.893             ｄ13=  0.01     ｎd7 =1.56384 νd7 =60.67 
ｒ14=    18.893             ｄ14=  0.80     ｎd8 =1.84666 νd8 =23.78 
ｒ15=     4.313             ｄ15= （可変）  
ｒ16=    19.027 （非球面）  ｄ16=  2.20     ｎd9 =1.84666 νd9 =23.78 
ｒ17=-12117.666             ｄ17= （可変）  
ｒ18=     ∞                ｄ18=  0.95     ｎd10=1.54771 νd10=62.84 
ｒ19=     ∞                ｄ19=  0.60     
ｒ20=     ∞                ｄ20=  0.50     ｎd11=1.51633 νd11=64.14 
ｒ21=     ∞                ｄ21=  0.59     
ｒ22=     ∞                
非球面係数
第１０面
Ｋ  = -1.005
Ａ4 =  3.59202×10-9
Ａ6 =  1.69640×10-8
Ａ8 = -1.84829×10-8
第１１面
Ｋ  = -8.581
Ａ4 = -2.03082×10-11 
Ａ6 =  4.48326×10-10 
第１６面
Ｋ  =  0.002
Ａ4 = -3.12266×10-10 
Ａ6 =  1.67936×10-8
Ａ8 =  9.76314×10-9
ズームデータ（∞）
ＷＥ            ＳＴ            ＴＥ
ｆ (mm)             7.823          15.672          31.181 
ＦNO                2.80            3.28            4.28  
ω (°)            30.41           15.32            7.89  
ｄ2                 0.80           10.32           16.18  
ｄ8                19.10            8.70            1.81  
ｄ15                8.45           10.63           17.69  
ｄ17                1.94            3.58            4.37                    。
【０３１９】
実施例５
ｒ1 =    33.302             ｄ1 =  1.00     ｎd1 =1.84666 νd1 =23.78 
ｒ2 =    19.902             ｄ2 =  3.60     ｎd2 =1.71700 νd2 =47.92 
ｒ3 =-10505.082             ｄ3 = （可変）  
ｒ4 =   197.422             ｄ4 =  0.85     ｎd3 =1.81600 νd3 =46.62 
ｒ5 =     8.612             ｄ5 =  2.00     
ｒ6 =    65.254             ｄ6 =  0.80     ｎd4 =1.90366 νd4 =31.31 
ｒ7 =    13.669             ｄ7 =  0.80     
ｒ8 =    12.087             ｄ8 =  2.20     ｎd5 =1.92286 νd5 =20.88 
ｒ9 =    43.061             ｄ9 = （可変）  
ｒ10=     ∞（絞り）        ｄ10=  1.00     
ｒ11=    10.627 （非球面）  ｄ11=  2.30     ｎd6 =1.69350 νd6 =53.20 
ｒ12=   -33.162 （非球面）  ｄ12=  0.10     
ｒ13=     5.800             ｄ13=  2.50     ｎd7 =1.49700 νd7 =81.54 
ｒ14=    11.640             ｄ14=  0.01     ｎd8 =1.56384 νd8 =60.67 
ｒ15=    11.640             ｄ15=  0.80     ｎd9 =1.84666 νd9 =23.78 
ｒ16=     4.350             ｄ16= （可変）  
ｒ17=    12.332 （非球面）  ｄ17=  2.30     ｎd10=1.52542 νd10=55.78 
ｒ18=-260808.000            ｄ18= （可変）  
ｒ19=     ∞                ｄ19=  0.95     ｎd11=1.54771 νd11=62.84 
ｒ20=     ∞                ｄ20=  0.60     
ｒ21=     ∞                ｄ21=  0.50     ｎd12=1.51633 νd12=64.14 
ｒ22=     ∞                ｄ22=  1.00     
ｒ23=     ∞                
非球面係数
第１１面
Ｋ  = -0.806
Ａ4 = -1.99973×10-9
Ａ6 =  1.19364×10-8
Ａ8 = -3.01523×10-8
第１２面
Ｋ  =-22.194
Ａ4 = -1.02289×10-11 
Ａ6 =  1.12572×10-8
Ａ8 = -1.88817×10-9
第１７面
Ｋ  =  0.000
Ａ4 = -4.79706×10-13 
Ａ6 =  8.43506×10-14 
Ａ8 = -2.26626×10-12 
Ａ10=  1.27028×10-10 
ズームデータ（∞）
ＷＥ            ＳＴ            ＴＥ
ｆ (mm)             7.964          17.453          38.463 
ＦNO                2.81            3.33            4.30  
ω (°)            30.56           14.05            6.41  
ｄ3                 0.80           11.18           20.49  
ｄ9                19.10            7.68            1.80  
ｄ16                7.64            9.77           17.57  
ｄ18                2.18            4.37            2.83                    。
【０３２０】
実施例６
ｒ1 =    26.272             ｄ1 =  1.00     ｎd1 =1.84666 νd1 =23.78 
ｒ2 =    18.575             ｄ2 =  3.40     ｎd2 =1.74100 νd2 =52.64 
ｒ3 =   130.489             ｄ3 = （可変）  
ｒ4 =    57.666             ｄ4 =  0.90     ｎd3 =1.88300 νd3 =40.76 
ｒ5 =     8.282             ｄ5 =  2.40     
ｒ6 =     ∞                ｄ6 =  0.85     ｎd4 =1.88300 νd4 =40.76 
ｒ7 =    15.434             ｄ7 =  0.99     
ｒ8 =    13.647             ｄ8 =  2.30     ｎd5 =1.92286 νd5 =20.88 
ｒ9 =    60.518             ｄ9 = （可変）  
ｒ10=     ∞（絞り）        ｄ10=  1.00     
ｒ11=    14.164 （非球面）  ｄ11=  2.00     ｎd6 =1.74330 νd6 =49.33 
ｒ12=   -33.166 （非球面）  ｄ12=  0.20     
ｒ13=     5.685             ｄ13=  2.20     ｎd7 =1.58913 νd7 =61.14 
ｒ14=    16.732             ｄ14=  0.01     ｎd8 =1.56384 νd8 =60.67 
ｒ15=    16.732             ｄ15=  0.80     ｎd9 =1.84666 νd9 =23.78 
ｒ16=     4.631             ｄ16= （可変）  
ｒ17=    15.194             ｄ17=  2.00     ｎd10=1.74330 νd10=49.33 
ｒ18=   149.038 （非球面）  ｄ18= （可変）  
ｒ19=     ∞                ｄ19=  0.95     ｎd11=1.54771 νd11=62.84 
ｒ20=     ∞                ｄ20=  0.60     
ｒ21=     ∞                ｄ21=  0.50     ｎd12=1.51633 νd12=64.14 
ｒ22=     ∞                ｄ22=  1.00     
ｒ23=     ∞                
非球面係数
第１１面
Ｋ  =  1.826
Ａ4 = -1.43848×10-4
Ａ6 =  3.29825×10-7
Ａ8 =  1.52442×10-7
第１２面
Ｋ  =  0.000
Ａ4 =  3.01488×10-5
Ａ6 =  8.15030×10-7
Ａ8 =  2.16546×10-7
第１８面
Ｋ  =  0.000
Ａ4 =  3.59845×10-5
Ａ6 = -1.74722×10-5
Ａ8 =  7.23073×10-7
Ａ10= -1.56839×10-8
ズームデータ（∞）
ＷＥ            ＳＴ            ＴＥ
ｆ (mm)             8.048          17.491          38.757 
ＦNO                2.88            3.29            4.32  
ω (°)            30.66           14.47            6.46  
ｄ3                 0.80           10.10           18.34  
ｄ9                18.15            6.59            1.71  
ｄ16                8.62            9.60           19.76  
ｄ18                3.58            6.73            4.40                    。
【０３２１】
以上の実施例１〜６の無限遠物点合焦時の収差図をそれぞれ図７〜図１２に示す。これらの収差図において、（ａ）は広角端、（ｂ）は中間状態、（ｃ）は望遠端におけるの球面収差（ＳＡ）、非点収差（ＡＳ）、歪曲収差（ＤＴ）、倍率色収差（ＣＣ）を示す。
【０３２２】
上記実施例１〜６の条件式（１）〜（９）の絶対値記号を除いた値は次の通りである。条件式  実施例１  実施例２  実施例３  実施例４  実施例５  実施例６
１     6.75      6.97      7.08      6.69      6.66      6.74 
２     6.12      6.36      6.10      6.75      6.59      5.82 
３     2.10      2.30      2.15      2.26      2.50      2.10 
４     4.84      5.05      5.86      3.99      4.83      4.82 
５     2.39      2.68      2.68      2.57      2.52      2.38 
６    -1.42     -1.51     -1.41     -1.57     -1.53     -1.39 
７     0.96      0.82      0.90      0.62      0.94      1.01 
８     1.52      1.53      1.72      1.49      1.33      1.49 
９     1.81      1.77      1.78      1.74      1.72      1.82             。
【０３２３】
以上の実施例１〜６において、フォーカシングは第４レンズ群Ｇ４の物体側への繰り出しで行っている。
【０３２４】
さて、以上のような本発明のズームレンズで物体像を形成しその像をＣＣＤ等の撮像素子に受光させて撮影を行う撮影装置、とりわけデジタルカメラやビデオカメラ等に用いることができる。以下に、その実施形態を例示する。
【０３２５】
図１３〜図１５は、本発明によるズーム光学系をデジタルカメラの撮影光学系４１に組み込んだ構成の概念図を示す。図１３はデジタルカメラ４０の外観を示す前方斜視図、図１４は同後方正面図、図１５はデジタルカメラ４０の構成を示す模式的な透視平面図である。ただし、図１３と図１５においては、撮影光学系４１の非沈胴時を示している。デジ
タルカメラ４０は、この例の場合、撮影用光路４２を有する撮影光学系４１、ファインダー用光路４４を有するファインダー光学系４３、シャッター４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図１５の非沈胴状態になり、カメラ４０の上部に配置されたシャッター４５を押圧すると、それに連動して撮影光学系４１、例えば実施例１のズームレンズを通して撮影が行われる。撮影光学系４１によって形成された物体像が、ＩＲカットコートを施したローパスフィルターＬＦとカバーガラスＣＧを介してＣＣＤ４９の撮像面上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【０３２６】
さらに、ファインダー用光路４４上にはファインダー用対物光学系５３が配置してある。ファインダー用対物光学系５３は、複数のレンズ群（図の場合は３群）と２つのプリズムからなり、撮影光学系４１のズームレンズに連動して焦点距離が変化するズーム光学系からなり、このファインダー用対物光学系５３によって形成された物体像は、像正立部材である正立プリズム５５の視野枠５７上に形成される。この正立プリズム５５の後方には、正立正像にされた像を観察者眼球Ｅに導く接眼光学系５９が配置されている。なお、接眼光学系５９の射出側にカバー部材５０が配置されている。
【０３２７】
このように構成されたデジタルカメラ４０は、撮影光学系４１が高性能で小型で沈胴収納が可能であるあるので、高性能・小型化が実現できる。
【０３２８】
以上の本発明のズームレンズ及びそれを搭載した撮像装置は、例えば次のように構成することができる。
【０３２９】
〔１〕  物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするズームレンズ。
【０３３０】
６．４＜ＬW ／ｆW ＜７．４                                    ・・・（１）
ただし、ＬW ：広角端での全長、
ｆW ：広角端での全系の焦点距離、
である。
【０３３１】
〔２〕  第３レンズ群Ｇ３は、正レンズ２枚と負レンズ１枚から構成されていることを特徴とする上記１記載のズームレンズ。
【０３３２】
〔３〕  物体側より順に、正の屈折力を有する第１レンズ群Ｇ１と、負の屈折力を有
する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするズームレンズ。
【０３３３】
５．８＜ｆ1 ／ｆW ＜８．０                                    ・・・（２）
ただし、ｆW ：広角端での全系の焦点距離、
ｆ1 ：第１レンズ群の焦点距離、
である。
【０３３４】
〔４〕  以下の条件式を満足することを特徴とする上記３記載のズームレンズ。
【０３３５】
６．４＜ＬW ／ｆW ＜７．４                                    ・・・（１）
ただし、ＬW ：広角端での全長、
ｆW ：広角端での全系の焦点距離、
である。
【０３３６】
〔５〕  第３レンズ群Ｇ３は、正レンズ２枚と負レンズ１枚から構成されていることを特徴とする上記３又は４記載のズームレンズ。
【０３３７】
〔６〕  物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするズームレンズ。
【０３３８】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【０３３９】
〔７〕  以下の条件式を満足することを特徴とする上記６記載のズームレンズ。
【０３４０】
６．４＜ＬW ／ｆW ＜７．４                                    ・・・（１）
ただし、ＬW ：広角端での全長、
ｆW ：広角端での全系の焦点距離、
である。
【０３４１】
〔８〕  第３レンズ群Ｇ３は、正レンズ２枚と負レンズ１枚から構成されていることを特徴とする上記６又は７記載のズームレンズ。
【０３４２】
〔９〕  以下の条件式を満足することを特徴とする上記６から８の何れか１項記載の
ズームレンズ。
【０３４３】
５．８＜ｆ1 ／ｆW ＜８．０                                    ・・・（２）
ただし、ｆW ：広角端での全系の焦点距離、
ｆ1 ：第１レンズ群の焦点距離、
である。
【０３４４】
〔１０〕  物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするズームレンズ。
【０３４５】
３＜（β2T／β2W）＊（β3T／β3W）＊（β4T／β4W）＜１２      ・・・（４）
１．８＜Ｄ2W／ｆW ＜２．８                                    ・・・（５）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
ｆW ：広角端での全系の焦点距離、
Ｄ2W：広角端での第２レンズ群−第３レンズ群間隔、
である。
【０３４６】
〔１１〕  以下の条件式を満足することを特徴とする上記１０記載のズームレンズ。
【０３４７】
６．４＜ＬW ／ｆW ＜７．４                                    ・・・（１）
ただし、ＬW ：広角端での全長、
ｆW ：広角端での全系の焦点距離、
である。
【０３４８】
〔１２〕  第３レンズ群Ｇ３は、正レンズ２枚と負レンズ１枚から構成されていることを特徴とする上記１０又は１１記載のズームレンズ。
【０３４９】
〔１３〕  以下の条件式を満足することを特徴とする上記１０から１２の何れか１項記載のズームレンズ。
【０３５０】
５．８＜ｆ1 ／ｆW ＜８．０                                    ・・・（２）
ただし、ｆW ：広角端での全系の焦点距離、
ｆ1 ：第１レンズ群の焦点距離、
である。
【０３５１】
〔１４〕  以下の条件式を満足することを特徴とする上記１０から１３の何れか１項記載のズームレンズ。
【０３５２】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【０３５３】
〔１５〕  物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負メニスカスレンズＬ２１、負メニスカスレンズ又は平凹負レンズＬ２２、正メニスカスレンズＬ２３から構成され、以下の条件式を満足することを特徴とするズームレンズ。
【０３５４】
３＜（β2T／β2W）＊（β3T／β3W）＊（β4T／β4W）＜１２      ・・・（４）
１．１＜｜ｆ2 ／ｆW ｜＜１．８                                ・・・（６）
ただし、ｆW ：広角端での全系の焦点距離、
ｆ2 ：第２レンズ群の焦点距離、
β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０３５５】
〔１６〕  以下の条件式を満足することを特徴とする上記１５記載のズームレンズ。
【０３５６】
６．４＜ＬW ／ｆW ＜７．４                                    ・・・（１）
ただし、ＬW ：広角端での全長、
ｆW ：広角端での全系の焦点距離、
である。
【０３５７】
〔１７〕  第３レンズ群Ｇ３は、正レンズ２枚と負レンズ１枚から構成されていることを特徴とする上記１５又は１６記載のズームレンズ。
【０３５８】
〔１８〕  以下の条件式を満足することを特徴とする上記１５から１７の何れか１項記載のズームレンズ。
【０３５９】
５．８＜ｆ1 ／ｆW ＜８．０                                    ・・・（２）
ただし、ｆW ：広角端での全系の焦点距離、
ｆ1 ：第１レンズ群の焦点距離、
である。
【０３６０】
〔１９〕  以下の条件式を満足することを特徴とする上記１５から１８の何れか１項記載のズームレンズ。
【０３６１】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【０３６２】
〔２０〕  以下の条件式を満足することを特徴とする上記１５から１９の何れか１項
記載のズームレンズ。
【０３６３】
１．８＜Ｄ2W／ｆW ＜２．８                                    ・・・（５）
ただし、ｆW ：広角端での全系の焦点距離、
である。
【０３６４】
〔２１〕  物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、第２レンズ群Ｇ２の２枚の負レンズの硝材の屈折率が何れも１．８１以上で、かつ、第２レンズ群Ｇ２の正レンズの硝材の屈折率が１．９以上であることを特徴とするズームレンズ。
【０３６５】
〔２２〕  以下の条件式を満足することを特徴とする上記２１記載のズームレンズ。
【０３６６】
６．４＜ＬW ／ｆW ＜７．４                                    ・・・（１）
ただし、ＬW ：広角端での全長、
ｆW ：広角端での全系の焦点距離、
である。
【０３６７】
〔２３〕  第３レンズ群Ｇ３は、正レンズ２枚と負レンズ１枚から構成されていることを特徴とする上記２１又は２２記載のズームレンズ。
【０３６８】
〔２４〕  以下の条件式を満足することを特徴とする上記２１から２３の何れか１項記載のズームレンズ。
【０３６９】
５．８＜ｆ1 ／ｆW ＜８．０                                    ・・・（２）
ただし、ｆW ：広角端での全系の焦点距離、
ｆ1 ：第１レンズ群の焦点距離、
である。
【０３７０】
〔２５〕  以下の条件式を満足することを特徴とする上記２１から２４の何れか１項記載のズームレンズ。
【０３７１】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【０３７２】
〔２６〕  以下の条件式を満足することを特徴とする上記２１から２５の何れか１項記載のズームレンズ。
【０３７３】
３＜（β2T／β2W）＊（β3T／β3W）＊（β4T／β4W）＜１２      ・・・（４）
１．８＜Ｄ2W／ｆW ＜２．８                                    ・・・（５）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
ｆW ：広角端での全系の焦点距離、
Ｄ2W：広角端での第２レンズ群−第３レンズ群間隔、
である。
【０３７４】
〔２７〕  以下の条件式を満足することを特徴とする上記２１から２６の何れか１項記載のズームレンズ。
【０３７５】
３＜（β2T／β2W）＊（β3T／β3W）＊（β4T／β4W）＜１２      ・・・（４）
１．１＜｜ｆ2 ／ｆW ｜＜１．８                                ・・・（６）
ただし、ｆW ：広角端での全系の焦点距離、
ｆ2 ：第２レンズ群の焦点距離、
β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０３７６】
〔２８〕  物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするズームレンズ。
【０３７７】
３＜（β2T／β2W）＊（β3T／β3W）＊（β4T／β4W）＜１２      ・・・（４）
０．８＜（β2T／β2W）／（β3T／β3W）＜１．１                ・・・（７）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０３７８】
〔２９〕  以下の条件式を満足することを特徴とする上記２８記載のズームレンズ。
【０３７９】
６．４＜ＬW ／ｆW ＜７．４                                    ・・・（１）
ただし、ＬW ：広角端での全長、
ｆW ：広角端での全系の焦点距離、
である。
【０３８０】
〔３０〕  第３レンズ群Ｇ３は、正レンズ２枚と負レンズ１枚から構成されていることを特徴とする上記２８又は２９記載のズームレンズ。
【０３８１】
〔３１〕  以下の条件式を満足することを特徴とする上記２８から３０の何れか１項記載のズームレンズ。
【０３８２】
５．８＜ｆ1 ／ｆW ＜８．０                                    ・・・（２）
ただし、ｆW ：広角端での全系の焦点距離、
ｆ1 ：第１レンズ群の焦点距離、
である。
【０３８３】
〔３２〕  以下の条件式を満足することを特徴とする上記２８から３１の何れか１項記載のズームレンズ。
【０３８４】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【０３８５】
〔３３〕  以下の条件式を満足することを特徴とする上記２８から３２の何れか１項記載のズームレンズ。
【０３８６】
３＜（β2T／β2W）＊（β3T／β3W）＊（β4T／β4W）＜１２      ・・・（４）
１．８＜Ｄ2W／ｆW ＜２．８                                    ・・・（５）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
ｆW ：広角端での全系の焦点距離、
Ｄ2W：広角端での第２レンズ群−第３レンズ群間隔、
である。
【０３８７】
〔３４〕  以下の条件式を満足することを特徴とする上記２８から３３の何れか１項記載のズームレンズ。
【０３８８】
３＜（β2T／β2W）＊（β3T／β3W）＊（β4T／β4W）＜１２      ・・・（４）
１．１＜｜ｆ2 ／ｆW ｜＜１．８                                ・・・（６）
ただし、ｆW ：広角端での全系の焦点距離、
ｆ2 ：第２レンズ群の焦点距離、
β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０３８９】
〔３５〕  第２レンズ群Ｇ２の２枚の負レンズの硝材の屈折率が何れも１．８１以上で、かつ、第２レンズ群Ｇ２の正レンズの硝材の屈折率が１．９以上であることを特徴とする上記２８から３４の何れか１項記載のズームレンズ。
【０３９０】
〔３６〕  物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、
負レンズＬ２２、正レンズＬ２３から構成され、以下の条件式を満足することを特徴とするズームレンズ。
【０３９１】
０．９＜ΔT3G ／ｆW ＜３                                      ・・・（８）
ただし、ΔT3G ：広角端から望遠端の間での第３レンズ群の移動量、
である。
【０３９２】
〔３７〕  以下の条件式を満足することを特徴とする上記３６記載のズームレンズ。
【０３９３】
６．４＜ＬW ／ｆW ＜７．４                                    ・・・（１）
ただし、ＬW ：広角端での全長、
ｆW ：広角端での全系の焦点距離、
である。
【０３９４】
〔３８〕  第３レンズ群Ｇ３は、正レンズ２枚と負レンズ１枚から構成されていることを特徴とする上記３６又は３７記載のズームレンズ。
【０３９５】
〔３９〕  以下の条件式を満足することを特徴とする上記３６から３８の何れか１項記載のズームレンズ。
【０３９６】
５．８＜ｆ1 ／ｆW ＜８．０                                    ・・・（２）
ただし、ｆW ：広角端での全系の焦点距離、
ｆ1 ：第１レンズ群の焦点距離、
である。
【０３９７】
〔４０〕  以下の条件式を満足することを特徴とする上記３６から３９の何れか１項記載のズームレンズ。
【０３９８】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【０３９９】
〔４１〕  以下の条件式を満足することを特徴とする上記３６から４０の何れか１項記載のズームレンズ。
【０４００】
３＜（β2T／β2W）＊（β3T／β3W）＊（β4T／β4W）＜１２      ・・・（４）
１．８＜Ｄ2W／ｆW ＜２．８                                    ・・・（５）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
ｆW ：広角端での全系の焦点距離、
Ｄ2W：広角端での第２レンズ群−第３レンズ群間隔、
である。
【０４０１】
〔４２〕  以下の条件式を満足することを特徴とする上記３６から４１の何れか１項記載のズームレンズ。
【０４０２】
３＜（β2T／β2W）＊（β3T／β3W）＊（β4T／β4W）＜１２      ・・・（４）
１．１＜｜ｆ2 ／ｆW ｜＜１．８                                ・・・（６）
ただし、ｆW ：広角端での全系の焦点距離、
ｆ2 ：第２レンズ群の焦点距離、
β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０４０３】
〔４３〕  第２レンズ群Ｇ２の２枚の負レンズの硝材の屈折率が何れも１．８１以上で、かつ、第２レンズ群Ｇ２の正レンズの硝材の屈折率が１．９以上であることを特徴とする上記３６から４２の何れか１項記載のズームレンズ。
【０４０４】
〔４４〕  以下の条件式を満足することを特徴とする上記３６から４３の何れか１項記載のズームレンズ。
【０４０５】
３＜（β2T／β2W）＊（β3T／β3W）＊（β4T／β4W）＜１２      ・・・（４）
０．８＜（β2T／β2W）／（β3T／β3W）＜１．１                ・・・（７）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０４０６】
〔４５〕  物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４を有し、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は多くても２枚のレンズで構成され、第２レンズ群Ｇ２は、物体側から順に、負レンズＬ２１、負レンズＬ２２、正レンズＬ２３から構成され、以下の条件式を満足することを特徴とするズームレンズ。
【０４０７】
１．２＜ｆ3 ／ｆW ＜１．８５                                  ・・・（９）
ただし、ｆW ：広角端での全系の焦点距離、
ｆ3 ：第３レンズ群の焦点距離、
である。
【０４０８】
〔４６〕  以下の条件式を満足することを特徴とする上記４５記載のズームレンズ。
【０４０９】
６．４＜ＬW ／ｆW ＜７．４                                    ・・・（１）
ただし、ＬW ：広角端での全長、
ｆW ：広角端での全系の焦点距離、
である。
【０４１０】
〔４７〕  第３レンズ群Ｇ３は、正レンズ２枚と負レンズ１枚から構成されていることを特徴とする上記４５又は４５記載のズームレンズ。
【０４１１】
〔４８〕  以下の条件式を満足することを特徴とする上記４５から４７の何れか１項
記載のズームレンズ。
【０４１２】
５．８＜ｆ1 ／ｆW ＜８．０                                    ・・・（２）
ただし、ｆW ：広角端での全系の焦点距離、
ｆ1 ：第１レンズ群の焦点距離、
である。
【０４１３】
〔４９〕  以下の条件式を満足することを特徴とする上記４５から４８の何れか１項記載のズームレンズ。
【０４１４】
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【０４１５】
〔５０〕  以下の条件式を満足することを特徴とする上記４５から４９の何れか１項記載のズームレンズ。
【０４１６】
３＜（β2T／β2W）＊（β3T／β3W）＊（β4T／β4W）＜１２      ・・・（４）
１．８＜Ｄ2W／ｆW ＜２．８                                    ・・・（５）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
ｆW ：広角端での全系の焦点距離、
Ｄ2W：広角端での第２レンズ群−第３レンズ群間隔、
である。
【０４１７】
〔５１〕  以下の条件式を満足することを特徴とする上記４５から５０の何れか１項記載のズームレンズ。
【０４１８】
３＜（β2T／β2W）＊（β3T／β3W）＊（β4T／β4W）＜１２      ・・・（４）
１．１＜｜ｆ2 ／ｆW ｜＜１．８                                ・・・（６）
ただし、ｆW ：広角端での全系の焦点距離、
ｆ2 ：第２レンズ群の焦点距離、
β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０４１９】
〔５２〕  第２レンズ群Ｇ２の２枚の負レンズの硝材の屈折率が何れも１．８１以上で、かつ、第２レンズ群Ｇ２の正レンズの硝材の屈折率が１．９以上であることを特徴とする上記４５から５１の何れか１項記載のズームレンズ。
【０４２０】
〔５３〕  以下の条件式を満足することを特徴とする上記４５から５２の何れか１項記載のズームレンズ。
【０４２１】
３＜（β2T／β2W）＊（β3T／β3W）＊（β4T／β4W）＜１２      ・・・（４）
０．８＜（β2T／β2W）／（β3T／β3W）＜１．１                ・・・（７）
ただし、β2T，β3T，β4T：それぞれ第２レンズ群、第３レンズ群、第４レンズ群の望遠
端での倍率、
β2W，β3W，β4W：それぞれ第２レンズ群、第３レンズ群、第４レンズ群の広角
端での倍率、
である。
【０４２２】
〔５４〕  以下の条件式を満足することを特徴とする上記４５から５３の何れか１項記載のズームレンズ。
【０４２３】
０．９＜ΔT3G ／ｆW ＜３                                      ・・・（８）
ただし、ΔT3G ：広角端から望遠端の間での第３レンズ群の移動量、
である。
【０４２４】
〔５５〕  上記１から５４の何れか１項記載のズームレンズと、その像側に配置された撮像素子とを備えていることを特徴とする撮像装置。
【産業上の利用可能性】
【０４２５】
以上の本発明のズームレンズ及びそれを搭載した撮像装置によると、コンパクトで明るく高変倍比化を行いやすいズームレンズとそれを搭載した撮像装置を得ることができ、より具体的には、構成枚数を少なくしやすく、Ｆ値が広角端で２. ８程度と明るく、ズーム比が４〜５倍程度と大きく、結像性能が高いコンパクトなズームレンズとそれを搭載した撮像装置を得ることができる。
【符号の説明】
【０４２６】
Ｇ１…第１レンズ群
Ｇ２…第２レンズ群
Ｇ３…第３レンズ群
Ｇ４…第４レンズ群
Ｓ…開口絞り
Ｆ…ローパスフィルターを構成する平行平板
Ｃ…カバーガラス
Ｉ…像面
ＬＦ…ローパスフィルター
ＣＧ…カバーガラス
Ｅ…観察者眼球
４０…デジタルカメラ
４１…撮影光学系
４２…撮影用光路
４３…ファインダー光学系
４４…ファインダー用光路
４５…シャッター
４６…フラッシュ
４７…液晶表示モニター
４９…ＣＣＤ
５０…カバー部材
５１…処理手段
５２…記録手段
５３…ファインダー用対物光学系
５５…正立プリズム
５７…視野枠
５９…接眼光学系
６０…カバー
６１…焦点距離変更ボタン
６２…設定変更スイッチ
【図１】
2010282215.tif 000003
【図２】
2010282215.tif 000004
【図３】
2010282215.tif 000005
【図４】
2010282215.tif 000006
【図５】
2010282215.tif 000007
【図６】
2010282215.tif 000008
【図７】
2010282215.tif 000009
【図８】
2010282215.tif 000010
【図９】
2010282215.tif 000011
【図１０】
2010282215.tif 000012
【図１１】
2010282215.tif 000013
【図１２】
2010282215.tif 000014
【図１３】
2010282215.tif 000015
【図１４】
2010282215.tif 000016
【図１５】
2010282215.tif 000017
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４からなり、ズーム時に、広角端に対し望遠端で間隔が、第１レンズ群Ｇ１と第２レンズ群Ｇ２の間が拡大し、第２レンズ群Ｇ２と第３レンズ群Ｇ３の間が縮小し、第３レンズ群Ｇ３と第４レンズ群Ｇ４の間が拡大するように、少なくとも第１レンズ群Ｇ１、第２レンズ群Ｇ２、第３レンズ群Ｇ３が光軸上を移動し、第１レンズ群Ｇ１は２枚のレンズで構成され、第２レンズ群Ｇ２は、物体側から順に、負メニスカスレンズＬ２１、負メニスカスレンズ又は平凹負レンズＬ２２、正メニスカスレンズＬ２３から構成され、以下の条件式を満足することを特徴とするズームレンズ。
３＜（β2T／β2W）＊（β3T／β3W）＊（β4T／β4W）＜１２      ・・・（４）
１．１＜｜ｆ2 ／ｆW ｜＜１．８                                ・・・（６）
０．８２≦（β2T／β2W）／（β3T／β3W）＜１．１          ・・・（７−１）
ただし、ｆW ：広角端での全系の焦点距離、
ｆ2 ：第２レンズ群の焦点距離、
β2T，β3T，β4T：それぞれ第２レンズ群、第３レンズ群、第４レンズ群の望遠                          端での倍率、
β2W，β3W，β4W：それぞれ第２レンズ群、第３レンズ群、第４レンズ群の広角                          端での倍率、
である。
【請求項２】
以下の条件式を満足することを特徴とする請求項１記載のズームレンズ。
０．９＜ΔT3G ／ｆW ＜３                                      ・・・（８）
ただし、ΔT3G ：広角端から望遠端の間での第３レンズ群の移動量、
である。
【請求項３】
以下の条件式を満足することを特徴とする請求項１又は２記載のズームレンズ。
１．２＜ｆ3 ／ｆW ＜１．８５                                  ・・・（９）
ただし、ｆW ：広角端での全系の焦点距離、
ｆ3 ：第３レンズ群の焦点距離、
である。
【請求項４】
以下の条件式を満足することを特徴とする請求項１から３の何れか１項記載のズームレンズ。
６．４＜ＬW ／ｆW ＜７．４                                    ・・・（１）
ただし、ＬW ：広角端での全長、
ｆW ：広角端での全系の焦点距離、
である。
【請求項５】
以下の条件式を満足することを特徴とする請求項１から４の何れか１項記載のズームレンズ。
５．８＜ｆ1 ／ｆW ＜８．０                                    ・・・（２）
ただし、ｆW ：広角端での全系の焦点距離、
ｆ1 ：第１レンズ群の焦点距離、
である。
【請求項６】
以下の条件式を満足することを特徴とする請求項１から５の何れか１項記載のズームレンズ。
２＜Ｄ2W／Ｄ3W＜２．６                                        ・・・（３）
ただし、Ｄ2W：広角端での第２レンズ群−第３レンズ群間隔、
Ｄ3W：広角端での第３レンズ群−第４レンズ群間隔、
である。
【請求項７】
以下の条件式を満足することを特徴とする請求項１から６の何れか１項記載のズームレンズ。
１．８＜Ｄ2W／ｆW ＜２．８                                    ・・・（５）
ただし、ｆW ：広角端での全系の焦点距離、
Ｄ2W：広角端での第２レンズ群−第３レンズ群間隔、
である。
【請求項８】
請求項１から７の何れか１項記載のズームレンズと、その像側に配置された撮像素子とを備えていることを特徴とする撮像装置。
【手続補正２】
【補正対象書類名】明細書
【補正対象項目名】０２９５
【補正方法】変更
【補正の内容】
【０２９５】
以下、本発明のズームレンズの実施例１〜６について説明する。この中、実施例４は参考例である。実施例１〜６の無限遠物点合焦時の広角端（ａ）、中間状態（ｂ）、望遠端（ｃ）のレンズ断面図をそれぞれ図１〜図６に示す。図中、第１レンズ群はＧ１、第２レンズ群はＧ２、開口絞りはＳ、第３レンズ群はＧ３、第４レンズ群はＧ４、ＩＲカットコートを施したローパスフィルターを構成する平行平板はＦ、電子撮像素子のカバーガラスの平行平板はＣ、像面はＩで示してある。なお、カバーガラスＣＧの表面に波長域制限用の多層膜を施してもよい。また、そのカバーガラスＣＧにローパスフィルター作用を持たせるようにしてもよい。